(57)【要約】【課題】撮影された映像から人物毎に抽出された映像に基づく個別映像を、全体映像とは異なる別ウインドウで表示させることができる配信用映像を生成する。【解決手段】映像配信装置１１ａによってネットワーク８を介して映像を配信する映像配信方法であって、撮像装置１によって撮影された映像Ａ１から人物を抽出して抽出結果Ｂ１，…，Ｂｎを出力し、抽出された人物の映像とその周囲の映像とを含む個別映像Ｃ１，…，Ｃｎを、抽出された人物毎に、撮像装置１によって撮影された映像Ａ１から切り出し、切り出された個別映像Ｃ１，…，Ｃｎの全部又は一部を、撮像装置１によって撮影された映像Ａ１又は他の撮像装置によって撮影された映像に、抽出された人物毎に別ウインドウを用いて重畳させて、配信用映像Ｄ１，…，Ｄｍを生成し、配信用映像Ｄ１，…，Ｄｍをネットワーク８を介して受信端末に配信する。【選択図】図１
2008167127.tif 000002
【特許請求の範囲】
【請求項１】
映像配信装置によってネットワークを介して映像を配信する映像配信方法であって、
撮像装置によって撮影された映像から単数又は複数の人物を抽出し、
上記抽出された人物の映像と上記抽出された人物の周囲の映像とを含む個別映像を、上記抽出された人物毎に、上記撮像装置によって撮影された映像から切り出し、
上記切り出された単数又は複数の個別映像の全部又は一部を、上記撮像装置によって撮影された映像又は上記撮像装置とは異なる他の撮像装置によって撮影された映像に、上記抽出された人物毎に別ウインドウを用いて重畳させて、配信用映像を生成し、
上記配信用映像を、ネットワークを介して受信端末に配信する
ことを特徴とする映像配信方法。
【請求項２】
映像配信装置によってネットワークを介して映像を配信する映像配信方法であって、
撮像装置によって撮影された映像から複数の人物を抽出し、
上記抽出された人物の映像と上記抽出された人物の周囲の映像とを含む個別映像を、上記抽出された人物毎に、上記撮像装置によって撮影された映像から切り出し、
上記切り出された複数の個別映像の中から１つ以上の個別映像を選択して組み合わせることによって、１つ以上の個別映像を含む組合せ映像を生成し、
上記組合せ映像毎に、上記撮像装置によって撮影された映像又は上記撮像装置とは異なる他の撮像装置によって撮影された映像に、上記組合せ映像を別ウインドウを用いて重畳させて、複数の配信用映像を生成し、
ネットワークを介して配信された映像を受信する受信端末からの要求信号を受信し、受信した上記要求信号に応じて、上記複数の配信用映像のいずれかを選択し、
上記選択された配信用映像を、ネットワークを介して上記要求信号を発した受信端末に配信する
ことを特徴とする映像配信方法。
【請求項３】
映像配信装置によってネットワークを介して映像を配信する映像配信方法であって、
撮像装置によって撮影された映像から複数の人物を抽出し、
上記抽出された人物の映像と上記抽出された人物の周囲の映像とを含む個別映像を、上記抽出された人物毎に、上記撮像装置によって撮影された映像から切り出し、
ネットワークを介して配信された映像を受信する受信端末からの要求信号を受信し、受信した上記要求信号に応じて、上記人物毎に切り出された複数の個別映像の中から１つ以上の個別映像を選択して組み合わせることによって、１つ以上の個別映像を含む組合せ映像を生成し、
上記撮像装置によって撮影された映像又は上記撮像装置とは異なる他の撮像装置によって撮影された映像に、上記組合せ映像を別ウインドウを用いて重畳させて、配信用映像を生成し、
上記配信用映像を、ネットワークを介して上記要求信号を発した受信端末に配信する
ことを特徴とする映像配信方法。
【請求項４】
映像配信装置によってネットワークを介して映像を配信する映像配信方法であって、
撮像装置によって撮影された映像から単数又は複数の人物を抽出し、
上記抽出された人物の映像と上記抽出された人物の周囲の映像とを含む個別映像を、上記抽出された人物毎に、上記撮像装置によって撮影された映像から切り出し、
上記切り出された単数又は複数の個別映像の全部又は一部から配信用映像を生成し、
上記配信用映像を、ネットワークを介して受信端末に配信する
ことを特徴とする映像配信方法。
【請求項５】
映像配信装置によってネットワークを介して映像を配信する映像配信方法であって、
撮像装置によって撮影された映像から複数の人物を抽出し、
上記抽出された人物の映像と上記抽出された人物の周囲の映像とを含む個別映像を、上記抽出された人物毎に、上記撮像装置によって撮影された映像から切り出し、
上記切り出された複数の個別映像の中から１つ以上の個別映像を選択して組み合わせることによって、１つ以上の個別映像を含む組合せ映像を生成し、
上記組合せ映像毎に、上記組合せ映像を表示させるための複数の配信用映像を生成し、
ネットワークを介して配信された映像を受信する受信端末からの要求信号を受信し、受信した上記要求信号に応じて、上記複数の配信用映像のいずれかを選択し、
上記選択された配信用映像を、ネットワークを介して上記要求信号を発した受信端末に配信する
ことを特徴とする映像配信方法。
【請求項６】
映像配信装置によってネットワークを介して映像を配信する映像配信方法であって、
撮像装置によって撮影された映像から複数の人物を抽出し、
上記抽出された人物の映像と上記抽出された人物の周囲の映像とを含む個別映像を、上記抽出された人物毎に、上記撮像装置によって撮影された映像から切り出し、
ネットワークを介して配信された映像を受信する受信端末からの要求信号を受信し、受信した上記要求信号に応じて、上記人物毎に切り出された複数の個別映像の中から１つ以上の個別映像を選択して組み合わせることによって、１つ以上の個別映像を含む組合せ映像を生成し、
上記組合せ映像を表示させるための配信用映像を生成し、
上記配信用映像を、ネットワークを介して上記要求信号を発した受信端末に配信する
ことを特徴とする映像配信方法。
【請求項７】
上記撮像装置は、１台又は複数台備えられることを特徴とする請求項１乃至６のいずれか１項に記載の映像配信方法。
【請求項８】
上記受信端末が要求した人物に対応する上記切り出し映像が存在しない場合、上記配信用映像生成部は、上記受信端末の要求信号を無視する
ことを特徴とする請求項３又は６に記載の映像配信方法。
【請求項９】
上記受信端末の要求した人物に対応した上記切り出し映像が存在しない場合、上記配信用映像生成部は、上記受信端末の要求した人物が抽出されていないことを示す通知情報を配信する
ことを特徴とする請求項３又は６に記載の映像配信方法。
【請求項１０】
上記撮像装置は、複数台備えられ、
上記複数台の撮像装置によって人物が撮影されている場合、所定の判断基準を用いて選択された１台の撮像装置による映像から、上記人物の抽出を行う
ことを特徴とする請求項１乃至９のいずれか１項に記載の映像配信方法。
【請求項１１】
上記撮像装置は、複数台備えられ、
上記複数台の撮像装置によって人物が撮影されている場合、上記複数台の撮像装置のそれぞれで抽出された映像を別人物として扱い、上記映像の切り出しを行う
ことを特徴とする請求項１乃至９のいずれか１項に記載の映像配信方法。
【請求項１２】
上記別ウインドウで表示される上記抽出された人物が、上記重畳される映像上に存在する場合、上記重畳される映像上に、上記抽出された人物を識別できるようにするための識別表示を行うための識別表示情報を配信することを特徴とする請求項１乃至３のいずれか１項に記載の映像配信方法。
【請求項１３】
上記抽出された人物が複数である場合、上記抽出された人物毎に異なる上記識別表示を行うための識別表示情報を配信することを特徴とする請求項１２に記載の映像配信方法。
【請求項１４】
上記抽出された人物が複数である場合、上記抽出された複数の人物を、所定の条件でグループ化し、クループ毎に異なる識別表示を行うための識別表示情報を配信することを特徴とする請求項１乃至３のいずれか１項に記載の映像配信方法。
【請求項１５】
ネットワークを介して映像を配信する映像配信装置であって、
撮像装置によって撮影された映像から単数又は複数の人物を抽出する人物抽出部と、
上記抽出された人物の映像と上記抽出された人物の周囲の映像とを含む個別映像を、上記抽出された人物毎に、上記撮像装置によって撮影された映像から切り出して、出力する抽出人物映像生成部と、
上記切り出された単数又は複数の個別映像の全部又は一部を、上記撮像装置によって撮影された映像又は上記撮像装置とは異なる他の撮像装置によって撮影された映像に、上記抽出された人物毎に別ウインドウを用いて重畳させて、受信端末に配信される配信用映像を生成する配信用映像生成部と
を有することを特徴とする映像配信装置。
【請求項１６】
ネットワークを介して映像を配信する映像配信装置であって、
撮像装置によって撮影された映像から複数の人物を抽出する人物抽出部と、
上記抽出された人物の映像と上記抽出された人物の周囲の映像とを含む個別映像を、上記抽出された人物毎に、上記撮像装置によって撮影された映像から切り出して、出力する抽出人物映像生成部と、
上記切り出された複数の個別映像の中から１つ以上の個別映像を選択して組み合わせることによって、１つ以上の個別映像を含む組合せ映像を生成する個別映像組合せ部と、
上記組合せ映像毎に、上記撮像装置によって撮影された映像又は上記撮像装置とは異なる他の撮像装置によって撮影された映像に、上記組合せ映像を別ウインドウを用いて重畳させて、複数の配信用映像を生成する配信用映像生成部と
を有し、
上記配信用映像生成部は、ネットワークを介して配信された映像を受信する受信端末からの要求信号を受信し、受信した上記要求信号に応じて、上記複数の配信用映像の中から、上記要求信号を発した受信端末に配信される配信用映像を選択する
ことを特徴とする映像配信装置。
【請求項１７】
ネットワークを介して映像を配信する映像配信装置であって、
撮像装置によって撮影された映像から複数の人物を抽出する人物抽出部と、
上記抽出された人物の映像と上記抽出された人物の周囲の映像とを含む個別映像を、上記抽出された人物毎に、上記撮像装置によって撮影された映像から切り出して、出力する抽出人物映像生成部と、
ネットワークを介して配信された映像を受信する受信端末からの要求信号を受信し、受信した上記要求信号に応じて、上記人物毎に切り出された複数の個別映像の中から１つ以上の個別映像を選択して組み合わせることによって、１つ以上の個別映像を含む組合せ映像を生成する個別映像組合せ部と、
上記撮像装置によって撮影された映像又は上記撮像装置とは異なる他の撮像装置によって撮影された映像に、上記組合せ映像を別ウインドウを用いて重畳させて、上記要求信号を発した受信端末に配信される配信用映像を生成する配信用映像生成部と
を有することを特徴とする映像配信装置。
【請求項１８】
ネットワークを介して映像を配信する映像配信装置であって、
撮像装置によって撮影された映像から単数又は複数の人物を抽出する人物抽出部と、
上記抽出された人物の映像と上記抽出された人物の周囲の映像とを含む個別映像を、上記抽出された人物毎に、上記撮像装置によって撮影された映像から切り出して、出力する抽出人物映像生成部と、
上記切り出された単数又は複数の個別映像の全部又は一部から、受信端末に配信される配信用映像を生成する配信用映像生成部と
を有することを特徴とする映像配信装置。
【請求項１９】
ネットワークを介して映像を配信する映像配信装置であって、
撮像装置によって撮影された映像から複数の人物を抽出する人物抽出部と、
上記抽出された人物の映像と上記抽出された人物の周囲の映像とを含む個別映像を、上記抽出された人物毎に、上記撮像装置によって撮影された映像から切り出して、出力する抽出人物映像生成部と、
上記切り出された複数の個別映像の中から１つ以上の個別映像を選択して組み合わせることによって、１つ以上の個別映像を含む組合せ映像を生成する個別映像組合せ部と、
上記組合せ映像毎に、上記組合せ映像を表示させるための複数の配信用映像を生成する配信用映像生成部と
を有し、
上記配信用映像生成部は、ネットワークを介して配信された映像を受信する受信端末からの要求信号を受信し、受信した上記要求信号に応じて、上記複数の配信用映像の中から、上記要求信号を発した受信端末に配信される配信用映像を選択する
ことを特徴とする映像配信装置。
【請求項２０】
ネットワークを介して映像を配信する映像配信装置であって、
撮像装置によって撮影された映像から複数の人物を抽出する人物抽出部と、
上記抽出された人物の映像と上記抽出された人物の周囲の映像とを含む個別映像を、上記抽出された人物毎に、上記撮像装置によって撮影された映像から切り出して、出力する抽出人物映像生成部と、
ネットワークを介して配信された映像を受信する受信端末からの要求信号を受信し、受信した上記要求信号に応じて、上記人物毎に切り出された複数の個別映像の中から１つ以上の個別映像を選択して組み合わせることによって、１つ以上の個別映像を含む組合せ映像を生成する個別映像組合せ部と、
上記組合せ映像を表示させるため、上記要求信号を発した受信端末に配信される配信用映像を生成する配信用映像生成部と
を有することを特徴とする映像配信装置。
【請求項２１】
上記撮像装置は、１台又は複数台備えられることを特徴とする請求項１５乃至２０のいずれか１項に記載の映像配信装置。
【請求項２２】
上記受信端末が要求した人物に対応する上記切り出し映像が存在しない場合、上記配信用映像生成部は、上記受信端末の要求信号を無視する
ことを特徴とする請求項１７又は２０に記載の映像配信装置。
【請求項２３】
上記受信端末の要求した人物に対応した上記切り出し映像が存在しない場合、上記配信用映像生成部は、上記受信端末の要求した人物が抽出されていないことを示す通知情報を配信する
ことを特徴とする請求項１７又は２０に記載の映像配信装置。
【請求項２４】
上記撮像装置は、複数台備えられ、
上記複数台の撮像装置によって人物が撮影されている場合、上記人物抽出部は、所定の判断基準を用いて選択された１台の撮像装置による映像から、上記人物の抽出を行う
ことを特徴とする請求項１５乃至２３のいずれか１項に記載の映像配信装置。
【請求項２５】
上記撮像装置は、複数台備えられ、
上記複数台の撮像装置によって人物が撮影されている場合、上記複数台の撮像装置のそれぞれで抽出された映像を別人物として扱い、上記映像の切り出しを行う
ことを特徴とする請求項１５乃至２３のいずれか１項に記載の映像配信装置。
【請求項２６】
上記別ウインドウで表示される上記抽出された人物が、上記重畳される映像上に存在する場合、上記重畳される映像上に、上記抽出された人物を識別できるようにするための識別表示を行うための識別表示情報を配信することを特徴とする請求項１５乃至１７のいずれか１項に記載の映像配信装置。
【請求項２７】
上記抽出された人物が複数である場合、上記抽出された人物毎に異なる上記識別表示を行うための識別表示情報を配信することを特徴とする請求項２６に記載の映像配信装置。
【請求項２８】
上記抽出された人物が複数である場合、上記抽出された複数の人物を、所定の条件でグループ化し、クループ毎に異なる識別表示を行うための識別表示情報を配信することを特徴とする請求項１５乃至１７のいずれか１項に記載の映像配信装置。
【発明の詳細な説明】
【技術分野】
【０００１】
本発明は、撮像装置によって撮影された映像を、ネットワークを介して受信端末に配信する映像配信方法及び映像配信装置に関するものである。
【背景技術】
【０００２】
野球、サッカー、又は陸上競技等のスポーツ競技（試合等）を、ネットワークを介した映像配信を利用して視聴することが可能である。無料又は低料金で使用できる映像配信においては、テレビ受信のように送信側が決めた映像を配信するサービス、及び、複数のカメラで撮影した映像のいずれかを視聴者に選択させ、選択された映像を配信するサービスが実施されている。また、スポーツ競技を撮影した映像から選手を抽出し、追跡する技術が提案されている（例えば、特許文献１及び２参照）。
【０００３】
【特許文献１】特開２００４−０４６６４７号公報（第９〜１４頁、図５、図８）
【特許文献２】特開２００４−０７２６２８号公報（第４〜５頁、図１）
【発明の開示】
【発明が解決しようとする課題】
【０００４】
ところで、視聴者、特に、ファンは、お気に入りの選手又は注目選手がいる場合、競技自体に直接関係のない場面（例えば、野球における守備の場面、サッカーにおけるウォ−ミングアップの場面、又は陸上競技における精神集中の場面）であっても、視聴したいと思っている。しかし、複数の選手が参加する競技の映像配信においては、競技全体のみの配信、又は、ボール周辺若しくは踏み切り板付近のように多くの視聴者が注目するであろうと予測される注目領域のみの配信が行われている。このため、従来の映像配信においては、競技全体の映像と視聴者が欲する注目映像を同時に配信すること、又は、視聴者が欲する複数の注目映像を同時に配信することはできず、視聴者は、複数の映像を同時に視聴することができないという問題があった。
【０００５】
そこで、本発明は、上記従来技術の課題を解決するためになされたものであり、その目的は、撮像装置によって撮影された映像から人物毎に抽出された映像に基づく個別映像を、全体映像とは異なる別ウインドウで表示させることができる配信用映像を配信することができる映像配信方法及び映像配信装置を提供することにある。
【課題を解決するための手段】
【０００６】
本発明の映像配信方法は、映像配信装置によってネットワークを介して映像を配信する方法であって、撮像装置によって撮影された映像から単数又は複数の人物を抽出し、上記抽出された人物の映像と上記抽出された人物の周囲の映像とを含む個別映像を、上記抽出された人物毎に、上記撮像装置によって撮影された映像から切り出し、上記切り出された単数又は複数の個別映像の全部又は一部を、上記撮像装置によって撮影された映像又は上記撮像装置とは異なる他の撮像装置によって撮影された映像に、上記抽出された人物毎に別ウインドウを用いて重畳させて、配信用映像を生成し、上記配信用映像を、ネットワークを介して受信端末に配信することを特徴としている。
【０００７】
また、本発明の他の映像配信方法は、映像配信装置によってネットワークを介して映像を配信する方法であって、撮像装置によって撮影された映像から複数の人物を抽出し、上記抽出された人物の映像と上記抽出された人物の周囲の映像とを含む個別映像を、上記抽出された人物毎に、上記撮像装置によって撮影された映像から切り出し、上記切り出された複数の個別映像の中から１つ以上の個別映像を選択して組み合わせることによって、１つ以上の個別映像を含む組合せ映像を生成し、上記組合せ映像毎に、上記撮像装置によって撮影された映像又は上記撮像装置とは異なる他の撮像装置によって撮影された映像に、上記組合せ映像を別ウインドウを用いて重畳させて、複数の配信用映像を生成し、ネットワークを介して配信された映像を受信する受信端末からの要求信号を受信し、受信した上記要求信号に応じて、上記複数の配信用映像のいずれかを選択し、上記選択された配信用映像を、ネットワークを介して上記要求信号を発した受信端末に配信することを特徴としている。
【０００８】
また、本発明の他の映像配信方法は、映像配信装置によってネットワークを介して映像を配信する方法であって、撮像装置によって撮影された映像から複数の人物を抽出し、上記抽出された人物の映像と上記抽出された人物の周囲の映像とを含む個別映像を、上記抽出された人物毎に、上記撮像装置によって撮影された映像から切り出し、ネットワークを介して配信された映像を受信する受信端末からの要求信号を受信し、受信した上記要求信号に応じて、上記人物毎に切り出された複数の個別映像の中から１つ以上の個別映像を選択して組み合わせることによって、１つ以上の個別映像を含む組合せ映像を生成し、上記撮像装置によって撮影された映像又は上記撮像装置とは異なる他の撮像装置によって撮影された映像に、上記組合せ映像を別ウインドウを用いて重畳させて、配信用映像を生成し、上記配信用映像を、ネットワークを介して上記要求信号を発した受信端末に配信することを特徴としている。
【０００９】
また、本発明の他の映像配信方法は、映像配信装置によってネットワークを介して映像を配信する方法であって、撮像装置によって撮影された映像から単数又は複数の人物を抽出し、上記抽出された人物の映像と上記抽出された人物の周囲の映像とを含む個別映像を、上記抽出された人物毎に、上記撮像装置によって撮影された映像から切り出し、上記切り出された単数又は複数の個別映像の全部又は一部から配信用映像を生成し、上記配信用映像を、ネットワークを介して受信端末に配信することを特徴としている。
【００１０】
また、本発明の他の映像配信方法は、映像配信装置によってネットワークを介して映像を配信する方法であって、撮像装置によって撮影された映像から複数の人物を抽出し、上記抽出された人物の映像と上記抽出された人物の周囲の映像とを含む個別映像を、上記抽出された人物毎に、上記撮像装置によって撮影された映像から切り出し、上記切り出された複数の個別映像の中から１つ以上の個別映像を選択して組み合わせることによって、１つ以上の個別映像を含む組合せ映像を生成し、上記組合せ映像毎に、上記組合せ映像を表示させるための複数の配信用映像を生成し、ネットワークを介して配信された映像を受信する受信端末からの要求信号を受信し、受信した上記要求信号に応じて、上記複数の配信用映像のいずれかを選択し、上記選択された配信用映像を、ネットワークを介して上記要求信号を発した受信端末に配信することを特徴としている。
【００１１】
また、本発明の他の映像配信方法は、映像配信装置によってネットワークを介して映像を配信する方法であって、撮像装置によって撮影された映像から複数の人物を抽出し、上記抽出された人物の映像と上記抽出された人物の周囲の映像とを含む個別映像を、上記抽出された人物毎に、上記撮像装置によって撮影された映像から切り出し、ネットワークを介して配信された映像を受信する受信端末からの要求信号を受信し、受信した上記要求信号に応じて、上記人物毎に切り出された複数の個別映像の中から１つ以上の個別映像を選択して組み合わせることによって、１つ以上の個別映像を含む組合せ映像を生成し、上記組合せ映像を表示させるための配信用映像を生成し、上記配信用映像を、ネットワークを介して上記要求信号を発した受信端末に配信することを特徴としている。
【００１２】
本発明の映像配信装置は、ネットワークを介して映像を配信する装置であって、撮像装置によって撮影された映像から単数又は複数の人物を抽出する人物抽出部と、上記抽出された人物の映像と上記抽出された人物の周囲の映像とを含む個別映像を、上記抽出された人物毎に、上記撮像装置によって撮影された映像から切り出して、出力する抽出人物映像生成部と、上記切り出された単数又は複数の個別映像の全部又は一部を、上記撮像装置によって撮影された映像又は上記撮像装置とは異なる他の撮像装置によって撮影された映像に、上記抽出された人物毎に別ウインドウを用いて重畳させて、受信端末に配信される配信用映像を生成する配信用映像生成部とを有することを特徴としている。
【００１３】
また、本発明の他の映像配信装置は、ネットワークを介して映像を配信する装置であって、撮像装置によって撮影された映像から複数の人物を抽出する人物抽出部と、上記抽出された人物の映像と上記抽出された人物の周囲の映像とを含む個別映像を、上記抽出された人物毎に、上記撮像装置によって撮影された映像から切り出して、出力する抽出人物映像生成部と、上記切り出された複数の個別映像の中から１つ以上の個別映像を選択して組み合わせることによって、１つ以上の個別映像を含む組合せ映像を生成する個別映像組合せ部と、上記組合せ映像毎に、上記撮像装置によって撮影された映像又は上記撮像装置とは異なる他の撮像装置によって撮影された映像に、上記組合せ映像を別ウインドウを用いて重畳させて、複数の配信用映像を生成する配信用映像生成部とを有し、上記配信用映像生成部は、ネットワークを介して配信された映像を受信する受信端末からの要求信号を受信し、受信した上記要求信号に応じて、上記複数の配信用映像の中から、上記要求信号を発した受信端末に配信される配信用映像を選択することを特徴としている。
【００１４】
また、本発明の他の映像配信装置は、ネットワークを介して映像を配信する装置であって、撮像装置によって撮影された映像から複数の人物を抽出する人物抽出部と、上記抽出された人物の映像と上記抽出された人物の周囲の映像とを含む個別映像を、上記抽出された人物毎に、上記撮像装置によって撮影された映像から切り出して、出力する抽出人物映像生成部と、ネットワークを介して配信された映像を受信する受信端末からの要求信号を受信し、受信した上記要求信号に応じて、上記人物毎に切り出された複数の個別映像の中から１つ以上の個別映像を選択して組み合わせることによって、１つ以上の個別映像を含む組合せ映像を生成する個別映像組合せ部と、上記撮像装置によって撮影された映像又は上記撮像装置とは異なる他の撮像装置によって撮影された映像に、上記組合せ映像を別ウインドウを用いて重畳させて、上記要求信号を発した受信端末に配信される配信用映像を生成する配信用映像生成部とを有することを特徴としている。
【００１５】
また、本発明の他の映像配信装置は、ネットワークを介して映像を配信する装置であって、撮像装置によって撮影された映像から単数又は複数の人物を抽出する人物抽出部と、上記抽出された人物の映像と上記抽出された人物の周囲の映像とを含む個別映像を、上記抽出された人物毎に、上記撮像装置によって撮影された映像から切り出して、出力する抽出人物映像生成部と、上記切り出された単数又は複数の個別映像の全部又は一部から、受信端末に配信される配信用映像を生成する配信用映像生成部とを有することを特徴としている。
【００１６】
また、本発明の他の映像配信装置は、ネットワークを介して映像を配信する装置であって、撮像装置によって撮影された映像から複数の人物を抽出する人物抽出部と、上記抽出された人物の映像と上記抽出された人物の周囲の映像とを含む個別映像を、上記抽出された人物毎に、上記撮像装置によって撮影された映像から切り出して、出力する抽出人物映像生成部と、上記切り出された複数の個別映像の中から１つ以上の個別映像を選択して組み合わせることによって、１つ以上の個別映像を含む組合せ映像を生成する個別映像組合せ部と、上記組合せ映像毎に、上記組合せ映像を表示させるための複数の配信用映像を生成する配信用映像生成部とを有し、上記配信用映像生成部は、ネットワークを介して配信された映像を受信する受信端末からの要求信号を受信し、受信した上記要求信号に応じて、上記複数の配信用映像の中から、上記要求信号を発した受信端末に配信される配信用映像を選択することを特徴としている。
【００１７】
また、本発明の他の映像配信装置は、ネットワークを介して映像を配信する装置であって、撮像装置によって撮影された映像から複数の人物を抽出する人物抽出部と、上記抽出された人物の映像と上記抽出された人物の周囲の映像とを含む個別映像を、上記抽出された人物毎に、上記撮像装置によって撮影された映像から切り出して、出力する抽出人物映像生成部と、ネットワークを介して配信された映像を受信する受信端末からの要求信号を受信し、受信した上記要求信号に応じて、上記人物毎に切り出された複数の個別映像の中から１つ以上の個別映像を選択して組み合わせることによって、１つ以上の個別映像を含む組合せ映像を生成する個別映像組合せ部と、上記組合せ映像を表示させるため、上記要求信号を発した受信端末に配信される配信用映像を生成する配信用映像生成部とを有することを特徴としている。
【発明の効果】
【００１８】
本発明の映像配信方法又は映像配信装置によれば、撮像装置によって撮影された映像から人物毎に抽出された映像に基づく個別映像を、全体映像とは異なる別ウインドウで表示させることができるという効果がある。
【発明を実施するための最良の形態】
【００１９】
本発明の実施の形態に係る映像配信方法においては、野球、サッカー、又は陸上競技等のような競技（試合）を行う競技場（例えば、野球場、サッカー競技場、陸上競技場、又は体育館等を含む。）の全体をカメラで撮影し、その撮影した全体映像の中から注目する人物（例えば、選手）を抽出し、その注目する人物の映像を含む個別映像を別ウインドウで表示できるようにする配信用映像信号を、ネットワークを介して受信端末に配信する。なお、本発明において「同定」とは、注目する人物を同一人物と判断し、その人物を追跡することをいう。
【００２０】
実施の形態１．
図１は、本発明の実施の形態１に係る映像配信方法を実施する装置（すなわち、実施の形態１に係る映像配信装置１１ａ）の構成を概略的に示すブロック図である。
【００２１】
図１に示されるように、実施の形態１に係る映像配信装置１１ａは、撮像装置１によって撮影された抽出用映像Ａ１から単数又は複数の人物（例えば、後述する人物Ｐ１，…，Ｐｉ，…，Ｐｎ）を抽出して抽出結果Ｂ１，…，Ｂｉ，…，Ｂｎを出力する人物抽出部２と、抽出された人物の映像と抽出された人物の周囲の映像とを含む個別映像Ｃ１，…，Ｃｉ，…，Ｃｎを、抽出された人物毎に、撮像装置１によって撮影された抽出用映像Ａ１から切り出す抽出人物映像生成部３とを有している。人物抽出部２と抽出人物映像生成部３とは、個別映像生成部６を構成している。なお、ｎは、１以上の整数であり、ｉは、１以上ｎ以下の整数である。
【００２２】
また、実施の形態１に係る映像配信装置１１ａは、切り出された単数又は複数の個別映像Ｃ１，…，Ｃｎの全部又は一部を、撮像装置１によって撮影された抽出用映像Ａ１又は撮像装置１とは異なる他の撮像装置（図１には示さず）によって撮影された映像（後述する全体用映像Ａ２）に、人物毎に別ウインドウを用いて重畳させて、配信用映像Ｄ１，…，Ｄｊ，…，Ｄｍを生成する配信用映像生成部４を有している。なお、ｍは、１以上の整数であり、ｊは、１以上ｍ以下の整数である。
【００２３】
撮像装置１は、競技場の全体を撮影することができるカメラを含む。撮像装置１から出力される抽出用映像Ａ１は、人物抽出部２及び抽出人物映像生成部３に入力される。人物抽出部２は、ユニフォームの図柄や色等に対してフレーム差分法やエッジ抽出法等の手法を用いて、ｎ人の人物（注目選手）Ｐ１，…，Ｐｎの１人１人を識別し、人物Ｐ１，…，Ｐｎの選定及び同定を行い、同定結果である人物Ｐ１，…，Ｐｎの抽出結果Ｂ１，…，Ｂｎを抽出人物映像生成部３に与える。
【００２４】
配信用映像生成部４の送信部（図示せず）から送信された配信用映像Ｄ１，…，Ｄｍはそれぞれ、ネットワーク８を経由して、受信端末９１，…，９ｊ，…，９ｍに配信され、受信端末９１，…，９ｍに備えられた表示部又は受信端末９１，…，９ｍに接続された表示装置によって表示映像Ｅ１，…，Ｅｊ，…，Ｅｍとして表示される。表示映像Ｅ１，…，Ｅｍには、全体映像Ｆ１，…，Ｆｊ，…，Ｆｍと、全体映像とは別ウインドウで表示される個別映像とが含まれる。図１には、表示映像Ｅ１内の個別映像Ｇ１１と、表示映像Ｅ２内の個別映像Ｇ２１，Ｇ２２，Ｇ２３と、表示映像Ｅｍ内の個別映像Ｇｍ１，Ｇｍ２とが示されている。
【００２５】
図２は、図１に示される人物抽出部２の動作を、野球を例にとり説明するための図である。
【００２６】
図２の全体は、図１に示される抽出用映像Ａ１に相当する。人物抽出部２は、ユニフォームの色や球場内の白線等を利用して、図２に破線で描かれた矩形領域で示されるように、抽出された人物（選手）の映像及びその周囲の映像を含む個別映像（例えば、Ｃ１，…，Ｃ１０）を、グランドや観客から分離する。
【００２７】
次に、図２に星印で示されるように、抽出された選手（例えば、Ｐ１，…，Ｐ１０）１人１人に対し抽出用映像Ａ１上における位置を示す代表点を与える。この代表点（星印）は、選手（例えば、Ｐ１，…，Ｐ１０）の動きに応じて選手を追跡する。
【００２８】
次に、人物抽出部２は、ユニフォームの色、背番号、又は守備位置やバッターボックスの位置等から、この代表点（星印）が付された選手を、何番目の選手として識別するのかを決定する。図２においては、人物抽出部２は、守備側の選手に対しその守備位置に対応する番号を用いて１番目から９番目までの選手と識別し、攻撃側の選手であるバッターを１０番目の選手として識別している。そして、人物抽出部２は、１０番目の選手であるバッターがヒットを打ち、塁上に出れば、走者を依然１０番目の選手として同定し、攻撃側の選手である次のバッターを１１番目の選手として識別を開始する。
【００２９】
人物抽出部２は、１０番目の選手が塁上に出ない場合、次の選手を１０番目の選手として識別するか、又は、１１番目の選手と識別して１０番目を欠番扱いにする。人物抽出部２による１０番目の選手の扱い方は、選択可能である。人物抽出部２は、代表点（星印）の位置の情報、又は、代表点の位置の情報と人物抽出領域の大きさの情報（例えば、図２に破線で描かれた矩形領域の縦と横の長さ）を、人物Ｐ１，…，Ｐ１０の抽出結果Ｂ１，…，Ｂ１０として出力する。出力された人物Ｐ１，…，Ｐ１０の抽出結果Ｂ１，…，Ｂ１０は、図１に示される抽出人物映像生成部３に入力される。図２においては、代表点を人物抽出領域の左上に設定しているが、これは図２を見やすくするためであり、代表点は、人物抽出領域に基づいて一意的に決定できる位置であれば、破線で描かれた矩形領域内等のように、他の位置であってもよい。また、図２においては、人物抽出領域を矩形で表したが、人物抽出領域の形状は矩形に限定されず、他の形状であってもよい。
【００３０】
図３は、図１に示される抽出人物映像生成部３の構成を概略的に示すブロック図である。
【００３１】
図３に示されるように、抽出人物映像生成部３は、人物Ｐ１，…，Ｐｎの抽出結果Ｂ１，…，Ｂｎに対応する第１乃至第ｎの抽出人物映像生成部３１，…，３ｎを有している。人物Ｐｉの抽出結果Ｂｉに対応する第ｉの抽出人物映像生成部３ｉは、図１に示される撮像装置１の出力である抽出用映像Ａ１と、図１に示される人物抽出部２の出力である人物Ｐｉの抽出結果Ｂｉとを、入力信号として受け取る。第ｉの抽出人物映像生成部３ｉは、人物Ｐｉの抽出結果Ｂｉの代表点の位置情報又は代表点の位置情報と人物抽出領域の大きさの情報を用いて、抽出用映像Ａ１から、人物Ｐｉが画格の中央になり、かつ、人物Ｐｉが配信するウインドウに応じた大きさになるように拡大又は縮小を行い、配信するウインドウの大きさに応じた人物Ｐｉの周辺映像を切り出し、人物Ｐｉの個別映像Ｃｉを生成する。人物Ｐｉの抽出結果Ｂｉに対応する第ｉの抽出人物映像生成部３ｉは、人物Ｐｉの個別映像Ｃｉを生成するにあたり、必要に応じて、輝度補正、輪郭強調、又は色飽和度補正等の信号処理を実行する。図３に、人物Ｐ１の個別映像Ｃ１の例を模式的に示す。図１に示されるように、抽出人物映像生成部３から出力された人物Ｐ１，…，Ｐｎの個別映像Ｃ１，…，Ｃｎは、配信用映像生成部４に入力される。配信用映像生成部４は、図１に示されるように、撮像装置１の出力である抽出用映像Ａ１を受け取り、配信用映像を生成して、ネットワーク８を介して受信端末に配信する。この配信用映像生成部４の機能を、図１を用いて説明する。
【００３２】
図１の配信用映像生成部４は、第１乃至第ｍの配信用映像Ｄ１，…，Ｄｊ，…，Ｄｍの配信用映像を生成する。第ｊの配信用映像Ｄｊがネットワーク８に接続された受信端末の表示部で表示された場合の、表示映像Ｅｊの様子を、図１の右側に模式的に示す。
【００３３】
第１の配信用映像Ｄ１を受信した受信端末は、表示映像Ｅ１の全体映像領域Ｆ１に抽出用映像Ａ１を表示し、表示映像Ｅ１の個別映像領域Ｇ１１に人物Ｐ１の個別映像Ｃ１が別ウインドウで重畳されるように表示している。また、第２の配信用映像Ｄ２を受信した受信端末は、表示映像Ｅ２の全体映像領域Ｆ２に抽出用映像Ａ１を表示し、個別映像領域Ｇ２１に人物Ｐ３の個別映像Ｃ３を、個別映像領域Ｇ２２に人物Ｐ１の個別映像Ｃ１を、個別映像領域Ｇ２３に人物Ｐ４の個別映像Ｃ４を、それぞれ別個のウインドウで全体映像領域Ｆ１に重畳されるように表示している。また、第ｍの配信用映像Ｄｍを受信した受信端末は、表示映像Ｅｍの全体映像領域Ｆｍに抽出用映像Ａ１を表示し、個別映像領域Ｇｍ１に人物Ｐ３の個別映像Ｃ３を、個別映像領域Ｇｍ２に人物Ｐ１の個別映像Ｃ１を、それぞれ別個のウインドウで全体映像領域Ｆｍに重畳されるように表示している。実施の形態１に係る映像配信方法又は映像配信装置によれば、競技（試合等）の全体を撮影したような映像と注目選手等の個別映像とを同時に視聴することが可能になる。
【００３４】
なお、図１には、全体映像Ｆｊに重畳される人物Ｐｉの個別映像は３個以下であるが、本発明の配信用映像生成部４において、全体映像Ｆｊに重畳される人物Ｐｉの個別映像の数は、４個以上であってもよい。また、図１において、人物Ｐｉの個別映像Ｃｉを全体映像Ｆｊの中に挿入したようなピクチャ・イン・ピクチャ（ＰｉｎＰ）形式の表示映像Ｅｊを示しているが、実施の形態１における配信用映像生成部４は、人物Ｐｉの個別映像Ｃｉを全体映像Ｆｊの外側に並べて表示する形式の表示映像Ｅｊを生成することも可能である。
【００３５】
図４は、本発明の実施の形態１に係る他の映像配信方法を実施する装置（すなわち、実施の形態１に係る他の映像配信装置１１ｂ）の構成を概略的に示すブロック図である。図４において、図１に示される構成と同一又は対応する構成には、同じ符号を付す。
【００３６】
図４に示される映像配信装置１１ｂは、撮像装置１とは異なる他の撮像装置１０が接続されており、撮像装置１の出力である抽出用映像Ａ１は人物抽出部２と抽出人物映像生成部３に入力され、他の撮像装置１０の出力である全体用映像Ａ２は配信用映像生成部４に入力される点が、図１に示される映像配信装置１１ａと異なる。図４における人物抽出部２、抽出人物映像生成部３、及び配信用映像生成部４の機能は、図１に示される対応する構成部分と基本的に同じである。
【００３７】
図４に示される映像配信装置１１ｂ（又はこの装置によって実施される映像配信方法）においては、表示映像Ｅｊの全体映像Ｆｊは、撮像装置１０の出力である全体用映像Ａ２となる。このため、図４に示される映像配信装置又はこの装置を用いる映像配信方法によれば、表示映像Ｅｊの主要部分である全体映像Ｆｊを、競技における最も興味が持てる映像に充てることができるという効果がある。
【００３８】
図５は、本発明の実施の形態１に係るさらに他の映像配信方法を実施する装置（すなわち、実施の形態１に係るさらに他の映像配信装置１１ｃ）の構成を概略的に示すブロック図である。図５において、図１又は図４に示される構成と同一又は対応する構成には、同じ符号を付す。
【００３９】
図５に示される映像配信装置１１ｃは、撮像装置１とは異なる他の撮像装置１０が接続されており、撮像装置１の出力である抽出用映像Ａ１は、人物抽出部２と抽出人物映像生成部３と配信用映像生成部４１に入力され、他の撮像装置１０の出力である全体用映像Ａ２は、配信用映像生成部４１に入力される点が、図１又は図４に示される映像配信装置１１ａ又は１１ｂと異なる。図５における人物抽出部２、抽出人物映像生成部３、及び配信用映像生成部４１の機能は、図１又は図４に示される対応する構成部分と基本的に同じである。図５における配信用映像生成部４１は、抽出用映像Ａ１に人物Ｐｉの１つ以上の個別映像Ｃｉを重畳した表示映像、又は、全体用映像Ａ２に１つ以上の人物Ｐｉの個別映像Ｃｉを重畳した表示映像を生成し、ネットワーク８を介して受信端末に配信する。すなわち、配信用映像生成部４１は、図５の表示映像Ｅｊで、全体映像Ｆｊの部分が抽出用映像Ａ１である配信用映像と、全体映像Ｆｊの部分が全体用映像Ａ２である配信用映像とを生成でき、全体映像Ｆｊの部分が抽出用映像Ａ１である配信用映像又は全体映像Ｆｊの部分が全体用映像Ａ２である配信用映像を選択的に送信できる。
【００４０】
図５に示される映像配信装置（又はこの装置によって実施される映像配信方法）においては、図４に示される映像配信装置（又はこの装置によって実施される映像配信方法）より、多くの種類の映像を配信できるという効果がある。
【００４１】
また、図５に示される映像配信装置（又はこの装置によって実施される映像配信方法）においては、興味を持つ映像と注目人物の映像を同時に視聴することができる映像と、競技（試合等）の全体の映像と注目人物の映像を同時に視聴することができる映像とを選択的にネットワーク８に配信できるという効果がある。
【００４２】
さらに、図４及び図５における全体用映像を出力する撮像装置１０は、１台に限定されず、複数台存在してもよい。この場合、図４の配信用映像生成部４は、図５の配信用映像生成部４１のように、入力される複数の全体用映像の１つに、１つ又は複数の人物Ｐｉの個別映像Ｃｉを別ウインドウで重畳した配信用映像を生成し、ネットワーク８を介して受信端末に配信する。図４の配信用映像生成部４も、複数の全体用映像の中の１つに、１つ又は複数の人物Ｐｉの個別映像Ｃｉを重畳した配信用映像を生成し、ネットワーク８を介して受信端末に配信することができる。このような映像配信方法を用いることにより、図４又は図５に示された場合より、さらに多くの種類の配信用映像を配信することができるという効果がある。
【００４３】
実施の形態２．
図６は、本発明の実施の形態２に係る映像配信方法を実施する装置（すなわち、実施の形態２に係る映像配信装置１２ａ）の構成を概略的に示すブロック図である。
【００４４】
図６に示されるように、実施の形態２に係る映像配信装置１２ａは、個別映像生成部６と、ｍ種類の組合せ映像Ｈ１，…，Ｈｍを生成する個別映像組合せ部７０と、選択機能付配信用映像生成部４２とを有している。図６に示されるように、個別映像生成部６で生成されたｎ個の人物Ｐ１，…，Ｐｎの個別映像Ｃ１，…，Ｃｎは、個別映像生成部６から出力されて、個別映像組合せ部７０に入力される。個別映像組合せ部７０から出力された第１乃至第ｍの組合せ映像Ｈ１，…，Ｈｍは、選択機能付配信用映像生成部４２に入力される。
【００４５】
第１の組合せ映像Ｈ１は、例えば、人物Ｐ１の個別映像Ｃ１のみを選択して組合せた映像（この場合も、組合せ映像として扱う。）である。第２の組合せ映像Ｈ２は、例えば、表示映像の左から順に人物Ｐ３の個別映像Ｃ３と、人物Ｐ１の個別映像Ｃ１と、人物Ｐ４の個別映像Ｃ４とを、この順に並べて組合せた映像である。第ｍの組合せ映像Ｈｍは、例えば、表示画面の左側に人物Ｐ１の個別映像Ｃ１を、表示画面の右側に人物Ｐｎの個別映像Ｃｎを配して、組合せた映像である。
【００４６】
図６に示されるように、第１の受信端末９１から、例えば、第２の組合せ映像Ｈ２を見たいという第１の要求Ｋ１がネットワーク８を介して映像配信装置に送信された場合、選択機能付配信用映像生成部４２は、第１の要求Ｋ１を受け付け、選択機能付配信用映像生成部４２に入力されている抽出用映像Ａ１に、第２の組合せ映像Ｈ２を重畳した第１の要求映像Ｊ１を生成し、ネットワーク８を介して第１の受信端末９１に配信する。同様に、第２の受信端末９２から第２の要求Ｋ２が送信されて、第２の組合せ映像Ｈ２を要求した場合、第２の要求Ｋ２は選択機能付配信用映像生成部４２に入力され、選択機能付配信用映像生成部４２は、抽出用映像Ａ１に第２の組合せ映像Ｈ２を重畳した第２の要求映像Ｊ２を生成し、ネットワーク８を介して第２の受信端末９２に配信する。以下、同様に、選択機能付配信用映像生成部４２は、受信端末からの要求に応じた要求映像をネットワーク８を介して、対応する要求信号を発信した受信端末に配信する。このとき、受信端末からの要求が互いに重複しても、本発明の映像配信方法においては、問題が生じることは無く、同一の要求映像を該当する受信端末に配信する。
【００４７】
実施の形態２に係る映像配信方法又は映像配信装置によれば、注目選手等の複数個の組合せ映像から視聴者の要求に最も近い組合せ映像を視聴者が選択して、競技（試合等）の全体を撮影したような映像と同時に見ることが可能になる。
【００４８】
図７は、本発明の実施の形態２に係る他の映像配信方法を実施する装置（すなわち、実施の形態２に係る他の映像配信装置１２ｂ）の構成を概略的に示すブロック図である。図７において、図６に示される構成と同一又は対応する構成には、同じ符号を付す。
【００４９】
図７に示される映像配信装置１２ｂは、撮像装置１とは異なる他の撮像装置１０が接続されており、撮像装置１の出力である抽出用映像Ａ１は個別映像衛生部６に入力され、他の撮像装置１０の出力である全体用映像Ａ２は選択機能付配信用映像生成部４２に入力される点が、図６に示される映像配信装置１２ａと異なる。図７における個別映像生成部６、個別映像組合せ部７０、及び選択機能付配信用映像生成部４２の機能は、図６に示される対応する構成部分と基本的に同じである。
【００５０】
図７に示される映像配信装置１２ｂ（又はこの装置によって実施される映像配信方法）においては、受信端末における表示映像の全体映像は、撮像装置１０の出力である全体用映像Ａ２となる。このため、図７に示される映像配信装置１２ｂによれば、表示映像の主要部分である全体映像を、競技における最も興味が持てる映像に充てることができるという効果がある。
【００５１】
図８は、本発明の実施の形態２に係るさらに他の映像配信方法を実施する装置（すなわち、実施の形態２に係るさらに他の映像配信装置１２ｃ）の構成を概略的に示すブロック図である。図８において、図６又は図７に示される構成と同一又は対応する構成には、同じ符号を付す。
【００５２】
図８に示される映像配信装置１２ｃは、撮像装置１とは異なる他の撮像装置１０が接続されており、撮像装置１の出力である抽出用映像Ａ１は選択機能付配信用映像生成部４３に入力され、他の撮像装置１０の出力である全体用映像Ａ２も選択機能付配信用映像生成部４３に入力される点が、図６又は図７に示される映像配信装置１２ａ又は１２ｂと異なる。図８における個別映像生成部６、個別映像組合せ部７０、及び選択機能付配信用映像生成部４２の機能は、図６又は図７に示される対応する構成部分と基本的に同じである。
【００５３】
図８における選択機能付配信用映像生成部４３は、抽出用映像Ａ１に人物Ｐｉの１つ以上の個別映像Ｃｉを重畳した表示映像、又は、全体用映像Ａ２に１つ以上の人物Ｐｉの個別映像Ｃｉを重畳した表示映像を生成し、ネットワーク８を介して受信端末９ｊに配信する。すなわち、選択機能付配信用映像生成部４３は、図５の表示映像Ｅｊで、全体映像Ｆｊの部分が抽出用映像Ａ１である配信用映像と、全体映像Ｆｊの部分が全体用映像Ａ２である配信用映像とを生成できる。このため、図８に示される映像配信装置（又はこの装置によって実施される映像配信方法）においては、受信端末からの要求に組合せ映像の選択情報と共に、ネットワーク８を介して配信される要求映像（例えば、Ｊ１〜Ｊ３）の主要部分に抽出映像Ａ１と全体映像Ａ２のいずれを使用するかの選択情報をも付加することにより、より多くの選択肢を得るという効果がある。
【００５４】
実施の形態３．
図９は、本発明の実施の形態３に係る映像配信方法を実施する装置（すなわち、実施の形態３に係る映像配信装置１３ａ）の構成を概略的に示すブロック図である。
【００５５】
図９に示されるように、実施の形態３に係る映像配信装置１３ａは、個別映像生成部６と、組合せ映像Ｌ１，Ｌ２，…を生成する受信端末別組合せ映像生成部７１と、受信端末別配信用映像生成部４４とを有している。図９に示されるように、個別映像生成部６で生成されたｎ個の人物Ｐ１，…，Ｐｎの個別映像Ｃ１，…，Ｃｎは、個別映像生成部６から出力されて、受信端末別組合せ映像生成部７１に入力される。受信端末別組合せ映像生成部７１から出力された組合せ映像Ｌ１，Ｌ２，…は、受信端末別配信用映像生成部４４に入力される。
【００５６】
図９の第１の受信端末９１から、例えば、人物Ｐ１の個別映像Ｃ１のみを別ウインドウで重畳したいという第１の要求Ｋ１がネットワーク８を介して映像配信装置１３ａに送信された場合、映像配信装置１３ａの受信端末別組合せ映像生成部７１及び受信端末別配信用映像生成部４４に第１の要求Ｋ１が入力される。第１の要求Ｋ１を受け取った受信端末別組合せ映像生成部７１は、個別映像生成部６の出力の中から人物Ｐ１の個別映像Ｃ１のみを選択し、第１の組合せ映像Ｌ１として受信端末別配信用映像生成部４４に出力する。受信端末別配信用映像生成部４４は、個別映像生成部６の出力である抽出用映像Ａ１に第１の組合せ映像Ｌ１を重畳した第１の要求映像Ｍ１を生成し、第１の要求Ｋ１の配信先情報を基にネットワーク８を介して第１の受信端末９１へ第１の要求映像Ｍ１を配信する。
【００５７】
また、第２の受信端末９２が第２の要求Ｋ２を送信して、表示画面の左から順に、人物Ｐ３の個別映像Ｃ３、人物Ｐ１の個別映像Ｃ１、人物Ｐ４の個別映像Ｃ４を並べたものを同時に見たいという第２の要求Ｋ２を映像配信装置に要求した場合、映像配信装置１３ａの受信端末別組合せ映像生成部７１及び受信端末別配信用映像生成部４４に、第２の要求Ｋ２が入力される。第２の要求Ｋ２を受け取った受信端末別組合せ映像生成部７１は、個別映像生成部６の出力の中から人物Ｐ１の個別映像Ｃ１と、人物Ｐ３の個別映像Ｃ３と、人物Ｐ４の個別映像Ｃ４とを選択し、第２の要求Ｋ２のウインドウの配列情報通りに配置した第２の組合せ映像Ｌ２を生成し、受信端末別配信用映像生成部４４に出力する。受信端末別配信用映像生成部４４は、個別映像生成部６の出力である抽出用映像Ａ１に第２の組合せ映像Ｌ２を重畳した第２の要求映像Ｍ２を生成し、第２の要求Ｋ２の配信先情報を基にネットワーク８を介して第２の受信端末９２へ第２の要求映像Ｍ２を配信する。
【００５８】
第３の受信端末９３が第２の要求Ｋ２と同じ内容の第３の要求Ｋ３を映像配信装置に要求した場合、受信端末別組合せ映像生成部７１は、第３の要求Ｋ３を入力し、個別映像生成部６の出力の中から人物Ｐ１の個別映像Ｃ１と、人物Ｐ３の個別映像Ｃ３と、人物Ｐ４の個別映像Ｃ４とを選択し、第３の要求Ｋ３のウインドウの配列情報どおりに配置した第３の組合せ映像Ｌ３を生成し、受信端末別配信用映像生成部４４に出力する。このとき、第２の組合せ映像Ｌ２と第３の組合せ映像Ｌ３とは同一のものとなる。受信端末別配信用映像生成部４４は、個別映像生成部６の出力である抽出用映像Ａ１に第３の組合せ映像Ｌ３を重畳した第３の要求映像Ｍ３を生成し、第３の要求Ｋ３の配信先情報を基にネットワーク８を介して第３の受信端末９３へ第３の要求映像Ｍ３を配信する。以下、同様に受信端末からの要求に応じた要求映像をネットワーク８を介して、それぞれの受信端末に配信する。
【００５９】
実施の形態３に係る映像配信方法又は映像配信装置によれば、視聴者が見たいと欲する注目選手等の個別映像のみを視聴者自らが選択して、競技（試合等）の全体を撮影したような映像と同時に見ることが可能になる。
【００６０】
図１０は、本発明の実施の形態３に係る他の映像配信方法を実施する装置（すなわち、実施の形態３に係る他の映像配信装置１３ｂ）の構成を概略的に示すブロック図である。図１０において、図９に示される構成と同一又は対応する構成には、同じ符号を付す。
【００６１】
図１０に示される映像配信装置１３ｂは、撮像装置１とは異なる他の撮像装置１０が接続されており、撮像装置１の出力である抽出用映像Ａ１は個別映像衛生部６に入力され、他の撮像装置１０の出力である全体用映像Ａ２は受信端末別配信用映像生成部４４に入力される点が、図９に示される映像配信装置１３ａと異なる。図１０における個別映像生成部６、受信端末別組合せ映像生成部７１、及び受信端末別配信用映像生成部４４の機能は、図９に示される対応する構成部分と基本的に同じである。
【００６２】
図１０に示される映像配信装置１３ｂ（又はこの装置によって実施される映像配信方法）においては、受信端末における表示映像の全体映像は、撮像装置１０の出力である全体用映像Ａ２となる。このため、図１０に示される映像配信装置１３ｂによれば、表示映像の主要部分である全体映像を、競技における最も興味が持てる映像に充てることができるという効果がある。
【００６３】
図１１は、本発明の実施の形態３に係るさらに他の映像配信方法を実施する装置（すなわち、実施の形態３に係るさらに他の映像配信装置１３ｃ）の構成を示すブロック図である。図１１において、図９又は図１０に示される構成と同一又は対応する構成には、同じ符号を付す。
【００６４】
図１１に示される映像配信装置１３ｃは、撮像装置１とは異なる他の撮像装置１０が接続されており、撮像装置１の出力である抽出用映像Ａ１は受信端末別配信用映像生成部４５に入力され、他の撮像装置１０の出力である全体用映像Ａ２は受信端末別配信用映像生成部４５に入力される点が、図９又は図１０に示される映像配信装置１３ａ又は１３ｂと異なる。図１１における個別映像生成部６、受信端末別組合せ映像生成部７１、及び受信端末別配信用映像生成部４５の機能は、図９又は図１０に示される対応する構成部分と基本的に同じである。
【００６５】
図１１に示される映像配信装置（又はこの装置によって実施される映像配信方法）においては、受信端末からの要求に、ネットワークを介して配信される要求映像の主要部分に抽出映像Ａ１と全体映像Ａ２のいずれを使用するかの選択情報をも付加し、この選択情報を基に受信端末別配信用映像生成部４５は組合せ映像が重畳される主要部分の映像を選択し、要求映像（例えば、Ｎ１〜Ｎ３）として受信端末に配信する。このため、図１１に示される映像配信装置（又はこの装置によって実施される映像配信方法）においては、より多くの選択肢を得るという効果がある。
【００６６】
実施の形態４．
図１２は、本発明の実施の形態４に係る映像配信方法を実施する装置（すなわち、実施の形態４に係る映像配信装置１４）の構成を概略的に示すブロック図である。また、図１３は、図１２に示される個別映像組合せ部７２の構成を概略的に示すブロック図である。
【００６７】
実施の形態４においては、ｍ種類の組合せ映像を配信する場合を説明する。実施の形態４においては、例えば、第１の組合せ映像Ｑ１は、人物Ｐ１の個別映像Ｃ１のみを選択して組合せられた映像であり、第２の組合せ映像Ｑ２は、表示映像の左から順に人物Ｐ３の個別映像Ｃ３、人物Ｐ１の個別映像Ｃ１、人物Ｐ４の個別映像Ｃ４を選択し並べて組合せられた映像であり、第ｍの組合せ映像Ｑｍは、表示画面の左側に人物Ｐ１の個別映像Ｃ１を表示画面の右側に人物Ｐｎの個別映像Ｃｎを配して組合せられた映像である。実施の形態４においては、図１２に示されるように、個別映像生成部６で生成された人物Ｐ１，…，Ｐｉ，…，Ｐｎの個別映像Ｃ１，…，Ｃｉ，…，Ｃｎは、個別映像組合せ部７２に出力され、個別映像組合せ部７２で処理され、ｍ個の組合せ映像Ｑ１，…，Ｑｊ，…，Ｑｍを生成して配信する。このため、実施の形態４に係る映像配信方法又は映像配信装置によれば、注目選手等の個別映像を別ウインドウで複数個同時に見ることが可能になる。
【００６８】
以下に、個別映像組合せ部７２における処理の例を、図１３を用いて説明する。なお、図１３において、Ｃ１ｓ１，Ｃ１ｓ２，Ｃ１ｓ３は、個別映像Ｃ１を拡大又は縮小した映像であり、Ｃ１ｓ２ｔ，Ｃ１ｓ３ｔは、拡大又は縮小された映像Ｃ１ｓ２，Ｃ１ｓ３をトリミングした映像である。また、Ｃ３ｓ１は、個別映像Ｃ３を拡大又は縮小した映像であり、Ｃ３ｓ１ｔは、拡大又は縮小された映像Ｃ３ｓ１をトリミングした映像である。また、Ｃ４ｓ１は、個別映像Ｃ４を拡大又は縮小した映像であり、Ｃ４ｓ１ｔは、拡大又は縮小された映像Ｃ４ｓ１をトリミングした映像である。また、Ｃｎｓ１は、個別映像Ｃｎを拡大又は縮小した映像であり、Ｃｎｓ１ｔは、拡大又は縮小された映像Ｃｎｓ１をトリミングした映像である。
【００６９】
図１３における第１の組合せ映像Ｑ１のように、表示映像（表示画面）の縦横比と人物Ｐ１の個別映像Ｃ１の縦横比が大きく異なる場合には、個別映像組合せ部７２は、以下のような処理を行う。図１３に示されるように、個別映像組合せ部７２は、人物Ｐ１の個別映像Ｃ１を拡大又は縮小して表示映像の縦の長さ又は横の長さに合わせ、表示映像の余白部分（例えば、図１３における斜線部分）に単一色や所定のパターンの映像を付加し、又は、得点や試合の経過時間等の人物Ｐ１の個別映像Ｃ１とは別の情報を付加するような余白処理を行って、第１の組合せ映像Ｑ１を生成する。人物Ｐ１の個別映像Ｃ１を拡大又は縮小するときに、表示映像の縦の長さと個別映像の縦の長さを一致させるのか、又は、表示映像の横の長さと個別映像の横の長さを一致させるのかは、いずれを選択することも可能である。ただし、人物Ｐ１の個別映像Ｃ１の全てを表示できる倍率を採用することが望ましい。また、表示映像の縦の長さと個別映像の縦の長さを一致させるときの拡大又は縮小率、又は、表示映像の横の長さと個別映像の横の長さを一致させるときの拡大又は縮小率の小さい方を採用するようにしてもよい。次に、第２の組合せ映像Ｑ２や第３の組合せ映像Ｑ３のように、表示映像内における人物Ｐｉの映像と人物Ｐｉの個別映像Ｃｉとの縦横比が大きく異ならない場合の個別映像組合せ部７２の処理について説明する。図１３の映像組合せ部７２内の第１の組合せ映像Ｑ１を生成する部分以外で説明する。第２の組合せ映像Ｑ２は、人物Ｐ１の個別映像Ｃ１、人物Ｐ３の個別映像Ｃ３、人物Ｐ４の個別映像Ｃ４に比べ、表示映像の方が縦長である場合である。この場合、人物Ｐ１の個別映像Ｃ１、人物Ｐ３の個別映像Ｃ３、及び人物Ｐ４の個別映像Ｃ４を、表示映像の縦の長さまで拡大又は縮小して、個別映像Ｃ１ｓ２，Ｃ３ｓ１，Ｃ４ｓ１とする。そして、拡大又は縮小した個別映像Ｃ１ｓ２，Ｃ３ｓ１，Ｃ４ｓ１の左右端をトリミング（削除）し、トリミングした映像Ｃ１ｓ２ｔ，Ｃ３ｓ１ｔ，Ｃ４ｓ１ｔを並べて第２の組合せ映像Ｑ２として配信する。また、第３の組合せ映像Ｑ３は、人物Ｐ１の個別映像Ｃ１、人物Ｐｎの個別映像Ｃｎよりも、表示映像が横長の場合である。この場合、人物Ｐ１の個別映像Ｃ１、人物Ｐｎの個別映像Ｃｎを、表示映像の横の長さまで拡大又は縮小する。そして、拡大又は縮小した個別映像Ｃ１ｓ３，Ｃｎｓ１の上下端をトリミング（削除）し、トリミングした映像Ｃ１ｓ３ｔ，Ｃｎｓ１ｔを横に並べて第３の組合せ映像Ｑ３として配信する。このようにすることで、人物Ｐｉの個別映像Ｃｉの大部分を配信できるという効果がある。また、可能な限り大きい個別映像を配信できるという効果もある。
【００７０】
実施の形態５．
図１４は、本発明の実施の形態５に係る映像配信方法を実施する装置（すなわち、実施の形態５に係る映像配信装置１５）の構成を概略的に示すブロック図である。
【００７１】
実施の形態５に係る映像配信装置１５は、選択機能付映像配信部４６を備えた点が、実施の形態４に係る映像配信装置１４と相違する。図１４において個別映像生成部６及び個別映像組合せ部７２は、実施の形態４の場合と同様である。実施の形態５に係る映像配信方法においては、図１４に示されるように、個別映像組合せ部７２から出力された第１乃至第ｍの組合せ映像Ｑ１，…，Ｑｍは、選択機能付映像配信部４６に入力される。
【００７２】
図１４の第１の受信端末９１から、例えば、第２の組合せ映像Ｑ２を見たいという第１の要求Ｋ１がネットワーク８を介して映像配信装置１５に送信された場合、選択機能付映像配信部４６は、第１の要求Ｋ１を受け付け、選択機能付映像配信部４６に入力されている第２の組合せ映像Ｑ２を第１の要求映像Ｒ１としてネットワーク８を介して第１の受信端末９１に配信する。同様に、第２の受信端末９２が第２の要求Ｋ２をして第ｊの組合せ映像Ｑｊを要求した場合、第２の要求Ｋ２は選択機能付映像配信部４６に入力され、選択機能付映像配信部４６は、第ｊの組合せ映像Ｑｊを第２の要求映像Ｒ２としてネットワーク８を介して第２の受信端末９２に配信する。以下、同様に受信端末からの要求に応じた組合せ映像をそれぞれの受信案端末からの要求映像としてネットワーク８を介して、それぞれの受信端末に配信する。実施の形態５に係る映像配信方法又は映像配信装置によれば、注目選手等の複数個の組合せ映像から視聴者の要求に最も近い組合せを視聴者が選択して、選択した複数個の個別映像を同時に見ることが可能になる。また、受信端末からの要求が互いに重複しても本発明の映像配信方法に問題が生じることはなく、同一の組合せ映像を該当する受信端末に配信することができる。
【００７３】
実施の形態６．
図１５は、本発明の実施の形態６に係る映像配信方法を実施する装置（すなわち、実施の形態６に係る映像配信装置１６）の構成を概略的に示すブロック図である。
【００７４】
実施の形態６に係る映像配信装置１６は、実施の形態５の個別映像組合せ部７２に代えて、受信端末別組合せ映像生成部７３を備えた点が、実施の形態５に係る映像配信装置１５と相違する。図１５に示されるように、実施の形態６に係る映像配信装置１６は、個別映像生成部６と、組合せ映像Ｔ１，Ｔ２，…を生成する受信端末別組合せ映像生成部７３と、受信端末別配信用映像生成部４７とを有している。
【００７５】
図１５の第１の受信端末９１から、例えば、人物Ｐ１の個別映像Ｃ１のみを視聴したいという第１の要求Ｓ１がネットワーク８を介して映像配信装置１６に要求された場合、受信端末別個別映像組合せ部７３は、第１の要求Ｓ１を受け取り、個別映像生成部６の出力の中から人物Ｐ１の個別映像Ｃ１のみを選択し、実施の形態４の個別映像組合せ部７２と同様の処理を行って、第１の組合せ映像Ｔ１を受信端末別映像配信部４７に出力する。受信端末別映像配信部４７は、第１の組合せ映像Ｔ１を第１の要求映像Ｕ１として、第１の要求Ｋ１の配信先情報を基にネットワーク８を介して第１の受信端末９１へ第１の要求映像Ｍ１を配信する。
【００７６】
また、第２の受信端末９２が第２の要求Ｓ２をして、表示場面の左から順に、人物Ｐ３の個別映像Ｃ３、人物Ｐ１の個別映像Ｃ１、人物Ｐ４の個別映像Ｃ４を並べたものを同時に見たいという第２の要求Ｓ２を映像配信装置１６に要求した場合、受信端末別個別映像組合せ部７３は、第２の要求Ｓ２を受け取り、個別映像生成部６の出力の中から人物Ｐ１の個別映像Ｃ１と人物Ｐ３の個別映像Ｃ３と人物Ｐ４の個別映像Ｃ４とを選択し、実施の形態４の個別映像組合せ部７２と同様の処理を行って、第２の組合せ映像Ｔ２を受信端末別映像配信部４７に出力する。受信端末別映像配信部４７は、第２の組合せ映像Ｔ２を第２の要求映像Ｕ２として、第２の要求Ｓ２の配信先情報を基にネットワーク８を介して第２の受信端末９２へ第２の要求映像Ｕ２を配信する。
【００７７】
第３の受信端末９３が第２の要求Ｓ２と同じ内容の第３の要求Ｓ３を映像配信装置に要求した場合、受信端末別個別映像組合せ部７３は、第３の要求Ｓ３を受け取り、個別映像生成部６の出力の中から人物Ｐ１の個別映像Ｃ１、人物Ｐ３の個別映像Ｃ３、人物Ｐ４の個別映像Ｃ４とを選択し、実施の形態４の個別映像組合せ部７２と同様の処理を行って、第３の組合せ映像Ｔ３を受信端末別映像配信部４７に出力する。このとき、第２の組合せ映像Ｔ２と第３の組合せ映像Ｔ３とは同一のものとなる。受信端末別映像配信部４７は、第３の組合せ映像Ｔ３を第３の要求映像Ｕ３をとして、第３の要求Ｓ３の配信先情報を基にネットワーク８を介して第３の受信端末９３へ第３の要求映像Ｍ３を配信する。以下、同様に受信端末からの要求に応じた要求映像をネットワーク８を介して、それぞれの受信端末に配信する。
【００７８】
実施の形態６に係る映像配信方法又は映像配信装置によれば、視聴者が見たいと欲する注目選手等の個別映像のみを視聴者自らが選択して、同時に見ることが可能になる。
【００７９】
実施の形態７．
図１６は、本発明の実施の形態７に係る映像配信方法及び映像配信装置が用いる抽出用映像を説明するための図である。
【００８０】
上記実施の形態１乃至６に係る映像配信方法及び映像配信装置が用いる抽出用映像は、１台の撮像装置１によって撮影された１つの抽出用映像Ａ１であり、１台の撮像装置１は、図２に示されるように、競技場の全体を撮影していた。これに対し、実施の形態７に係る映像配信方法及び映像配信装置においては、図１６に示されるように、人物抽出用の撮像装置を複数台使用し、それぞれの撮像装置が、競技場、すなわち、人物を抽出する空間を分担する。
【００８１】
図１６においては、抽出用映像を撮影するために５台の撮像装置１ａ，１ｂ，１ｃ，１ｄ，１ｅを用いて人物抽出を行う。撮像装置１ａ，１ｂ，１ｃ，１ｄ，１ｅの出力である抽出用映像Ａ１１，Ａ１２，Ａ１３，Ａ１４，Ａ１５は、人物抽出部２と抽出人物映像生成部３に入力される。人物抽出部２には、図１、図４、及び図５に示す人物抽出部２と、図６乃至図１２、図１４、及び図１５における個別映像生成部６の中に含まれる人物抽出部２が含まれる。抽出人物映像生成部３には、図１、図４、及び図５に示される抽出人物映像生成部３、並びに、図６乃至図１２、図１４、及び図１５における個別映像生成部６の中に含まれる抽出人物映像生成部３が含まれる。
【００８２】
実施の形態７においては、人物抽出部２で人物抽出を行い、人物Ｐｉの抽出結果Ｂｉには、どの撮像装置で撮影されているかを示す情報（撮像装置識別情報）も含めて、抽出人物映像生成部に出力する。抽出人物映像生成部内の抽出人物Ｐｉの抽出人物映像生成部３ｉには、抽出用映像Ａ１１からＡ１５が入力され、人物抽出結果Ｂｉに含まれる撮像装置識別情報に基づき人物Ｐｉの個別情報を切り出すべき抽出用映像を選定し、選定された抽出用映像から人物Ｐｉの抽出結果Ｂｉに含まれる代表点の位置情報又は代表点の位置情報と人物抽出した領域の大きさ情報により人物Ｐｉの個別映像Ｃｉを生成する。なお、抽出用映像が複数になったことによる表示映像の中の全体映像の取り扱いは、いずれか１つの抽出用映像（例えば、Ａ１１）を実施の形態１乃至３の抽出用映像とし、他の抽出用映像を実施の形態１乃至３の全体用映像Ａ２と同じに取り扱えばよい。
【００８３】
実施の形態７に係る映像配信方法及び映像配信装置においては、各々の撮像装置が狭い空間を撮像しているので、人物を大きく撮影することが可能になり、良質な人物Ｐｉの個別映像を得ることができる。すなわち、実施の形態７に係る映像配信方法又は映像配信装置によれば、人物抽出するカメラで撮影された人物の画格が大きくとれることにより、抽出される人物の映像を大きく又は鮮明に見ることが可能になる。なお、「良質な映像」とは、例えば、解像度が高い映像、コントラストが大きい映像、輪郭が強調されている映像、又はノイズの少ない等の映像である。
【００８４】
実施の形態８．
図１７は、本発明の実施の形態８に係る映像配信方法及び映像配信装置が用いる抽出用映像を説明するための図である。
【００８５】
実施の形態８の係る映像配信方法においては、図１７に示されるように撮像装置の撮像する空間に重複が存在する。図１７の場合には、ピッチャー（図２における人物Ｐ１）は抽出用映像Ａ１１と抽出用映像Ａ１２と抽出用映像Ａ１３の３つの映像に存在する。キャッチャー（図２における人物Ｐ２）とバッター（図２における人物Ｐ１０）も同じく３つの映像に存在する。一塁手（図２における人物Ｐ３）は抽出用映像Ａ１２のみに存在し、二塁手（図２における人物Ｐ４）は抽出用映像Ａ１１と抽出用映像Ａ１２に存在する。撮像装置１ａの出力である抽出用映像Ａ１１と、撮像装置１ｂ，１ｃ，１ｄ，１ｅのそれぞれの出力である抽出用映像Ａ１２，Ａ１３，Ａ１４，Ａ１５は、人物抽出部２と抽出人物映像生成部３に入力される。人物抽出部２には、図１、図４、及び図５に示す人物抽出部２と、図６乃至図１２、図１４、及び図１５における個別映像生成部６の中に含まれる人物抽出部２が含まれる。抽出人物映像生成部３には、図１、図４、及び図５に示される抽出人物映像生成部３、並びに、図６乃至図１２、図１４、及び図１５における個別映像生成部６の中に含まれる抽出人物映像生成部３が含まれる。
【００８６】
図１８は、本発明の実施の形態８に係る映像配信方法を実施する装置（すなわち、実施の形態８に係る映像配信装置）の人物抽出部２の構成を概略的に示すブロック図である。
【００８７】
撮像装置１ａの出力である抽出用映像Ａ１１は人物抽出部２の第１の映像抽出部２１１に入力する。第１の映像抽出部２１１は、入力である抽出用映像Ａ１１に対して、人物抽出を行う。図１８の場合、第１の映像抽出部２１１が、ピッチャー（人物Ｐ１）とキャッチャー（人物Ｐ２）と二塁手（人物Ｐ４）と遊撃手（人物Ｐ６）とバッター（人物Ｐ１０）の人物抽出ができたとすると、第１の映像抽出部２１１は、
（１）人物Ｐ１の代表点の位置情報又は代表点の位置情報と人物抽出した領域の情報を、この情報は人物Ｐ１の情報であることを示す情報と一緒にして、第１の映像抽出部２１１における人物Ｐ１の抽出結果２１１Ｐ１として出力し、
（２）人物Ｐ２の代表点の位置情報又は代表点の位置情報と人物抽出した領域の情報を、この情報は人物Ｐ２の情報であることを示す情報と一緒にして、第１の映像抽出部２１１における人物Ｐ２の抽出結果２１１Ｐ２として出力し、
（３）人物Ｐ４の代表点の位置情報又は代表点の位置情報と人物抽出した領域の情報を、この情報は人物Ｐ４の情報であることを示す情報と一緒にして、第１の映像抽出部２１１における人物Ｐ４の抽出結果２１１Ｐ４として出力し、
（４）人物Ｐ６の代表点の位置情報又は代表点の位置情報と人物抽出した領域の情報を、この情報は人物Ｐ６の情報であることを示す情報と一緒にして、第１の映像抽出部２１１における人物Ｐ６の抽出結果２１１Ｐ６として出力し、
（５）人物Ｐ１０の代表点の位置情報又は代表点の位置情報と人物抽出した領域の情報を、この情報は人物Ｐ１０の情報であることを示す情報と一緒にして、第１の映像抽出部２１１における人物Ｐ１０の抽出結果２１１Ｐ１０として出力する。
【００８８】
同様に、撮像装置１ｂの出力である抽出用映像Ａ１２は、人物抽出部２の第２の映像抽出部２１２に入力する。第２の映像抽出部２１２は、入力である抽出用映像Ａ１２に対して、人物抽出を行う。図１８の場合、第２の映像抽出部２１２が、ピッチャー（人物Ｐ１）とキャッチャー（人物Ｐ２）と一塁手（人物Ｐ３）と二塁手（人物Ｐ４）とバッター（人物Ｐ１０）の人物抽出ができたとすると、第２の映像抽出部２１２は、
（１）人物Ｐ１の代表点の位置情報又は代表点の位置情報と人物抽出した領域の情報を、この情報は人物Ｐ１の情報であることを示す情報と一緒にして、第２の映像抽出部２１２における人物Ｐ１の抽出結果２１２Ｐ１として出力し、
（２）人物Ｐ２の代表点の位置情報又は代表点の位置情報と人物抽出した領域の情報を、この情報は人物Ｐ２の情報であることを示す情報と一緒にして、第２の映像抽出部２１２における人物Ｐ２の抽出結果２１２Ｐ２として出力し、
（３）人物Ｐ３の代表点の位置情報又は代表点の位置情報と人物抽出した領域の情報を、この情報は人物Ｐ３の情報であることを示す情報と一緒にして、第２の映像抽出部２１２における人物Ｐ３の抽出結果２１２Ｐ３として出力し、
（４）人物Ｐ４の代表点の位置情報又は代表点の位置情報と人物抽出した領域の情報を、この情報は人物Ｐ４の情報であることを示す情報と一緒にして、第２の映像抽出部２１２における人物Ｐ４の抽出結果２１２Ｐ４として出力し、
（５）人物Ｐ１０の代表点の位置情報又は代表点の位置情報と人物抽出した領域の情報を、この情報は人物Ｐ１０の情報であることを示す情報と一緒にして、第２の映像抽出部２１２における人物Ｐ１０の抽出結果２１２Ｐ１０として出力する。
【００８９】
同様に、撮像装置１ｃの出力である抽出用映像Ａ１３は、人物抽出部２の第３の映像抽出部２１３に入力する。第３の映像抽出部２１３は、入力である抽出用映像Ａ１３に対して、人物抽出を行う。図１８の場合、第３の映像抽出部２１３が、ピッチャー（人物Ｐ１）とキャッチャー（人物Ｐ２）と三塁手（人物Ｐ５）と遊撃手（人物Ｐ６）とバッター（人物Ｐ１０）の人物抽出ができたとすると、第３の映像抽出部２１３は、
（１）人物Ｐ１の代表点の位置情報又は代表点の位置情報と人物抽出した領域の情報を、この情報は人物Ｐ１の情報であることを示す情報と一緒にして、第３の映像抽出部２１３における人物Ｐ１の抽出結果２１３Ｐ１として出力し、
（２）人物Ｐ２の代表点の位置情報又は代表点の位置情報と人物抽出した領域の情報を、この情報は人物Ｐ２の情報であることを示す情報と一緒にして、第３の映像抽出部２１３における人物Ｐ２の抽出結果２１３Ｐ２として出力し、
（３）人物Ｐ５の代表点の位置情報又は代表点の位置情報と人物抽出した領域の情報を、この情報は人物Ｐ５の情報であることを示す情報と一緒にして、第３の映像抽出部２１３における人物Ｐ５の抽出結果２１３Ｐ５として出力し、
（４）人物Ｐ６の代表点の位置情報又は代表点の位置情報と人物抽出した領域の情報を、この情報は人物Ｐ６の情報であることを示す情報と一緒にして、第３の映像抽出部２１３における人物Ｐ６の抽出結果２１３Ｐ６として出力し、
（５）人物Ｐ１０の代表点の位置情報又は代表点の位置情報と人物抽出した領域の情報を、この情報は人物Ｐ１０の情報であることを示す情報と一緒にして、第３の映像抽出部２１３における人物Ｐ１０の抽出結果２１３Ｐ１０として出力する。
【００９０】
同様に、撮像装置１ｄの出力である抽出用映像Ａ１４は、人物抽出部２の第４の映像抽出部２１４に入力する。第４の映像抽出部２１４は、入力である抽出用映像Ａ１４に対して、人物抽出を行う。図１８の場合、第４の映像抽出部２１４が、中堅手（人物Ｐ８）と右翼手（人物Ｐ９）の人物抽出ができたとすると、第４の映像抽出部２１４は、
（１）人物Ｐ８の代表点の位置情報又は代表点の位置情報と人物抽出した領域の情報を、この情報は人物Ｐ８の情報であることを示す情報と一緒にして、第４の映像抽出部２１４における人物Ｐ８の抽出結果２１４Ｐ８として出力し、
（２）人物Ｐ９の代表点の位置情報又は代表点の位置情報と人物抽出した領域の情報を、この情報は人物Ｐ９の情報であることを示す情報と一緒にして、第４の映像抽出部２１４における人物Ｐ９の抽出結果２１４Ｐ９として出力する。
【００９１】
撮像装置１ｅの出力である抽出用映像Ａ１５は、人物抽出部２の第５の映像抽出部２１５に入力する。第５の映像抽出部２１５は、入力である抽出用映像Ａ１５に対して、人物抽出を行う。図１８の場合、第５の映像抽出部２１５が、左翼手（人物Ｐ７）と中堅手（人物Ｐ８）の人物抽出ができたとすると、第５の映像抽出部２１５は、
（１）人物Ｐ７の代表点の位置情報又は代表点の位置情報と人物抽出した領域の情報を、この情報は人物Ｐ７の情報であることを示す情報と一緒にして、第５の映像抽出部２１５における人物Ｐ７の抽出結果２１５Ｐ７として出力し、
（２）人物Ｐ８の代表点の位置情報又は代表点の位置情報と人物抽出した領域の情報を、この情報は人物Ｐ８の情報であることを示す情報と一緒にして、第５の映像抽出部２１５における人物Ｐ８の抽出結果２１５Ｐ８として出力する。
【００９２】
第１の映像抽出部２１１における人物Ｐ１の抽出結果２１１Ｐ１と、第２の映像抽出部２１２における人物Ｐ１の抽出結果２１２Ｐ１と、第３の映像抽出部２１３における人物Ｐ１の抽出結果２１３Ｐ１とは、それぞれの抽出結果の人物が人物Ｐ１であるという人物の情報に基づいて、第１の人物判定部２２１に入力される。第１の映像抽出部２１１における人物Ｐ２の抽出結果２１１Ｐ２と、第２の映像抽出部２１２における人物Ｐ２の抽出結果２１２Ｐ２と、第３の映像抽出部２１３における人物Ｐ２の抽出結果２１３Ｐ２とは、それぞれの抽出結果の人物が人物Ｐ２であるという人物の情報に基づいて、第２の人物判定部２２２に入力される。第２の映像抽出部２１２における人物Ｐ３の抽出結果２１２Ｐ３は、その抽出結果の人物が人物Ｐ３であるという人物の情報に基づいて、第３の人物判定部２２３に入力される。第１の映像抽出部２１１における人物Ｐ４の抽出結果２１１Ｐ４と第２の映像抽出部２１２における人物Ｐ４の抽出結果２１２Ｐ４とは、それぞれの抽出結果の人物が人物Ｐ４であるという人物の情報に基づいて、第４の人物判定部２２４に入力される。第３の映像抽出部２１３における人物Ｐ５の抽出結果２１３Ｐ５は、その抽出結果の人物が人物Ｐ５であるという人物の情報に基づいて、第５の人物判定部２２５に入力される。第１の映像抽出部２１１における人物Ｐ６の抽出結果２１１Ｐ６と第３の映像抽出部２１３における人物Ｐ６の抽出結果２１３Ｐ６とは、それぞれの抽出結果の人物が人物Ｐ６であるという人物の情報に基づいて、第６の人物判定部２２６に入力される。第５の映像抽出部２１５における人物Ｐ７の抽出結果２１５Ｐ７は、その抽出結果の人物が人物Ｐ７であるという人物の情報に基づいて、第７の人物判定部２２７に入力される。第４の映像抽出部２１４における人物Ｐ８の抽出結果２１４Ｐ８と、第５の映像抽出部２１５における人物Ｐ８の抽出結果２１５Ｐ８とは、それぞれの抽出結果の人物が人物Ｐ８であるという人物の情報に基づいて、第８の人物判定部２２８に入力される。第４の映像抽出部２１４における人物Ｐ９の抽出結果２１４Ｐ９は、その抽出結果の人物が人物Ｐ９であるという人物の情報に基づいて、第９の人物判定部２２９に入力される。第１の映像抽出部２１１における人物Ｐ１０における抽出結果２１１Ｐ１０と、第２の映像抽出部２１２における人物Ｐ１０の抽出結果２１２Ｐ１０と第３の映像抽出部２１３における人物Ｐ１０の抽出結果２１３Ｐ１０とは、それぞれの抽出結果の人物が人物Ｐ１０であるという人物の情報に基づいて、人物Ｐ１０判定部２２１０に入力される。
【００９３】
第１の人物判定部２２１は、入力である第１の映像抽出部２１１における人物Ｐ１の抽出結果２１１Ｐ１と第２の映像抽出部２１２における人物Ｐ１の抽出結果２１２Ｐ１と第３の映像抽出部２１３における人物Ｐ１の抽出結果２１３Ｐ１に対して、例えば、３つの入力の中で１番大きく人物Ｐ１が撮影されているものを選択する、又は、３つの入力の中で一番顔面が鮮明に撮影されているものを選択する、又は、複数の条件に重み付けを行い判定する等の所定の判断基準に基づいて、３つの入力の内１つの入力を選択するなどの処理によって、人物Ｐ１の抽出結果Ｂ１として出力する。同様に、複数の入力が存在する第２の人物判定部２２２、第４の人物判定部２２４、第６の人物判定部２２６、第８の人物判定部２２８、及び第１０の人物判定部２２１０も、第１の人物判定部２２１と同様に、複数の入力から１つを選び、出力をそれぞれ人物Ｐ２の抽出結果Ｂ２、人物Ｐ４の抽出結果Ｂ４、人物Ｐ６の抽出結果Ｂ６、人物Ｐ８の抽出結果Ｂ８及び人物Ｐ１０の抽出結果Ｂ１０として出力する。一方、入力が１つしかない第３の人物判定部２２３と第５の人物判定部２２５、第７の人物判定部２２７及び第９の人物判定部２２９は、入力をそのまま、人物Ｐ３の抽出結果Ｂ３、人物Ｐ５の抽出結果Ｂ５、人物Ｐ７の抽出結果Ｂ７、人物Ｐ９の抽出結果Ｂ９として出力する。
【００９４】
実施の形態８に係る映像配信方法又は映像配信装置によれば、抽出される人物の複数の映像のうち、状態の良い映像（例えば、より大きく撮影されている映像又は、より鮮明に表情等が撮影されている映像）を視聴者に提供することが可能になる。
【００９５】
実施の形態９．
本発明の実施の形態９に係る映像配信方法及び映像配信装置は、上記実施の形態８に係る映像配信方法及び映像配信装置の変形例である。したがって、実施の形態９に係る映像配信方法及び映像配信装置の説明においては、図１８を参照する。
【００９６】
実施の形態９に係る映像配信方法を実施する装置の人物抽出部は、図１８に示される人物抽出部２から第１乃至第１０の人物判定部２２１乃至２２１０を取り除いた構成を有する。したがって、実施の形態９に係る映像配信方法を実施する装置の人物抽出部は、第１乃至第５の映像抽出部２１１乃至２１５の出力を、そのまま出力する。図１８に示される例（第１乃至第１０の人物判定部２２１乃至２２１０を取り除いた構成）においては、人物抽出部は、第１の映像抽出部２１１における人物Ｐ１の抽出結果２１１Ｐ１、第１の映像抽出部２１１における人物Ｐ２の抽出結果２１１Ｐ２、第１の映像抽出部２１１における人物Ｐ４の抽出結果２１１Ｐ４、第１の映像抽出部２１１における人物Ｐ６の抽出結果２１１Ｐ６、第１の映像抽出部２１１における人物Ｐ１０の抽出結果２１１Ｐ１０、第２の映像抽出部２１２における人物Ｐ１の抽出結果２１２Ｐ１、第２の映像抽出部２１２における人物Ｐ２の抽出結果２１２Ｐ２、第２の映像抽出部２１２における人物Ｐ３の抽出結果２１２Ｐ３、第２の映像抽出部２１２における人物Ｐ４の抽出結果２１２Ｐ４、第２の映像抽出部２１２における人物Ｐ１０の抽出結果２１２Ｐ１０、第３の映像抽出部２１３における人物Ｐ１の抽出結果２１３Ｐ１、第３の映像抽出部２１３における人物Ｐ２の抽出結果２１３Ｐ２、第３の映像抽出部２１３における人物Ｐ５の抽出結果２１３Ｐ５、第３の映像抽出部２１３における人物Ｐ６の抽出結果２１３Ｐ６、第３の映像抽出部２１３における人物Ｐ１０の抽出結果２１３Ｐ１０、第４の映像抽出部２１４における人物Ｐ８の抽出結果２１４Ｐ８、第４の映像抽出部２１４における人物Ｐ９の抽出結果２１４Ｐ９、第５の映像抽出部２１５における人物Ｐ７の抽出結果２１５Ｐ７、及び、第５の映像抽出部２１５における人物Ｐ８の抽出結果２１５Ｐ８を出力して、抽出人物生成部３に供給する。
【００９７】
実施の形態９に係る映像配信方法及び映像配信装置においては、抽出人物生成部３の出力である人物Ｐｉの個別映像Ｃｉの種類は多く（ｎの値が大きく）なった状態で処理を行う。
【００９８】
実施の形態９に係る映像配信方法又は映像配信装置によれば、視聴者が選択できる映像の種類を増加させることができ、また、１人の抽出された人物に対して複数の視点から撮影した映像を同時に見ることが可能になる。
【００９９】
実施の形態１０．
本発明の実施の形態１０に係る映像配信方法及び映像配信装置は、上記実施の形態３及び６に係る映像配信方法及び映像配信装置の変形例に相当する。したがって、実施の形態１０に係る映像配信方法及び映像配信装置の説明においては、図９、図１０、図１１、又は図１５をも参照する。
【０１００】
実施の形態１０に係る映像配信方法は、映像配信装置が、受信端末から、注目人物の個別映像の要求信号を受信したときの動作に特徴がある。実施の形態１０に係る映像配信方法において、映像配信装置が、受信端末から、注目人物の個別映像の要求信号を受信したときに、抽出用映像の中に要求の注目人物が映っていない場合には、受信端末からの要求を満たす個別映像生成部６の出力が存在しない。このような場合には、図９乃至図１１に示される受信端末別組合せ映像生成部７１、又は、図１５に示される受信端末別個別映像組合せ部７３は、受信端末からの要求信号を無視する。その結果、実施の形態１０に係る映像配信方法又は映像配信装置によれば、受信端末からの要求を満たしていない個別映像をネットワーク８を介して受信端末に配信することはない。
【０１０１】
実施の形態１０に係る映像配信方法又は映像配信装置によれば、なにも映像が表示されていないような不必要なウインドウを表示させないことにより、画面が見やすく又は他の映像を大きく見ることが可能になる。
【０１０２】
実施の形態１１．
本発明の実施の形態１１に係る映像配信方法は、上記実施の形態３及び６に係る映像配信方法の変形例に相当する。したがって、実施の形態１０に係る映像配信方法の説明においては、図９、図１０、図１１、又は図１５をも参照する。
【０１０３】
実施の形態１１に係る映像配信方法は、映像配信装置が、受信端末から、注目人物の個別映像の要求信号を受信したときの動作に特徴がある。実施の形態１１に係る映像配信方法において、映像配信装置が、受信端末から、注目人物の個別映像の要求信号を受信したときに、抽出用映像の中に要求の注目人物が映っていない場合には、受信端末からの要求を満たす個別映像生成部６の出力が存在しない。このような場合には、図９乃至図１１に示される受信端末別組合せ映像生成部７１、又は、図１５に示される受信端末別個別映像組合せ部７３は、受信端末からの要求を満たしていない個別映像と、個別映像が受信端末からの要求を満たしていない映像であることを示す文字（文章を含む）、絵、又は、記号とを表示するようにした組合せ映像を生成し、ネットワーク８を介して受信端末に配信する。その結果、実施の形態１１に係る映像配信方法又は映像配信装置によれば、受信端末からの要求に対し、受信端末からの要求を満たしていない個別映像が存在することをネットワーク８を介して受信端末に配信することができる。
【０１０４】
実施の形態１１に係る映像配信方法又は映像配信装置によれば、視聴者が要求する注目選手等の個別映像が存在しないことを視聴者に知らせ、視聴者に対し次の行動への移行を促すことにより、視聴者の不安や不信を排除することができる。
【０１０５】
実施の形態１２．
図１９は、本発明の実施の形態１２に係る映像配信方法により配信された映像の、受信端末における表示映像の例を示す図である。
【０１０６】
実施の形態１２に係る映像配信方法は、上記実施の形態１乃至３に係る映像配信方法の具体例に相当する。
【０１０７】
図１９に示されるように、受信端末９ｊの表示映像Ｅｊは、全体映像Ｆｊと、人物Ｐ１の個別映像領域Ｇｊ１と、人物Ｐ１０の個別映像領域Ｇｊ２とを含む。人物Ｐ１の個別映像領域Ｇｊ１と、人物Ｐ１０の個別映像領域Ｇｊ２とは、全体映像Ｆｊに重畳されている。人物抽出部２（図１、図４、図５に示される、又は、図６乃至図１１に示される個別映像生成部６に含まれる。）は、抽出された人物に対する代表点の位置情報又は代表点の位置情報と人物抽出した領域の大きさの情報を、人物Ｐｉの抽出結果Ｂｉとして生成する。図１９においては、ピッチャーである人物Ｐ１の抽出結果Ｂ１（図１に示される）と、バッターである人物Ｐ１０の抽出結果Ｂ１０が生成される。人物Ｐ１の抽出結果Ｂ１及び人物Ｐ１０の抽出結果Ｂ１０は、同定結果であるため、ピッチャーやバッターの動きに対応して変化する。実施の形態１２に係る映像配信方法においては、人物Ｐ１の抽出結果Ｂ１と人物Ｐ１０の抽出結果Ｂ１０とを、図１又は図４に示される配信用映像生成部４に出力する。なお、人物Ｐ１の抽出結果Ｂ１と人物Ｐ１０の抽出結果Ｂ１０とを、図５に示される配信用映像生成部４１、図６若しくは図７に示される選択機能付配信用映像生成部４２、図８に示される選択機能付配信用映像生成部４３、図９若しくは図１０に示される受信端末別配信用映像生成部４４、又は図１１に示される受信端末別配信用映像生成部４５に出力してもよい。
【０１０８】
なお、以下の説明においては、図１若しくは図４の配信用映像生成部４、図５の配信用映像生成部４１、図６若しくは図７の選択機能付配信用映像生成部４２、図８の選択機能付配信用映像生成部４３、図９若しくは図１０の受信端末別配信用映像生成部４４、及び図１１の受信端末別配信用映像生成部４５を総称して、配信用映像生成部４０と記載する。配信用映像生成部４０は、人物Ｐ１の抽出結果Ｂ１と人物Ｐ１０の抽出結果Ｂ１０に基づいて、図１９の全体映像Ｆ１上に人物Ｐ１と人物Ｐ１０とを識別できるような表示を行う。図１９の場合には、破線で描かれた矩形領域を用いて人物Ｐ１と人物Ｐ１０とを他の人物Ｐから識別している。この破線で描かれた矩形領域は、人物Ｐ１及び人物Ｐ１０の動きに対応して、全体映像Ｆ１上を移動する。なお、図１９においては、識別表示に破線で描かれた矩形領域を用いたが、色付けやアイコンや印等のような矩形の線以外の表示方法で識別するように構成することもできる。
【０１０９】
図２０は、本発明の実施の形態１２に係る映像配信方法による他の表示映像を示す図である。
【０１１０】
サッカーのように、注目人物の技量と共に人物の位置関係が重要な場合には、抽出人物毎に異なる識別表示を全体映像上に表示することにより、配信映像の受信側に多くの情報を理解しやすく伝達し、また、受信側の興味に添う可能性もある。抽出人物毎に異なる識別表示を行う手法は、配信用映像生成部４０において、人物Ｐｉの抽出結果Ｂｉ毎に対応する識別表示を採用することで実現できる。図２０においては、人物Ｐｉの個別映像を表示するウインドウの枠の形状と全体映像上の識別表示を同一にして表示する場合を例として示す。表示映像Ｅ１として全体映像Ｆ１に人物Ｐ１の個別映像領域Ｇ１１と人物Ｐ２の個別映像領域Ｇ１２と人物Ｐ３の個別映像領域Ｇ１３と人物Ｐ４の個別映像領域Ｇ１４映像が重畳されて場合で、人物Ｐ１の個別映像領域Ｇ１１のウインドウは実線の枠で囲まれており、全体映像Ｆ１上でもボールを保持している選手が実線の枠で囲まれている。また、人物Ｐ２の個別映像領域Ｇ１２のウインドウは点線で囲まれており、全体映像Ｆ１上にも点線で囲まれた選手が存在し、この選手が人物Ｐ２である。同様に、人物Ｐ３の個別映像領域Ｇ１３のウインドウは二重枠で囲まれており、人物Ｐ４の個別映像領域Ｇ１４のウインドウは二点鎖線で囲まれており、全体映像Ｆ１上において対応する人物Ｐ３及び人物Ｐ４がそれぞれ二重枠と二点鎖線とで囲まれるように表示される。配信される映像がカラー表示である場合には、ウインドウの枠の色と全体映像上の抽出人物毎の識別表示の色とを同一にする手法が配信映像の受信側にはわかりやすいことが多い。
【０１１１】
また、アメリカンフットボールのように、選手同士の位置関係が重要な場合、例えば、オフェンス側チームのバックス（クォータバックやバックス及びレシーバ）とディフェンス側チームのラインバッカーとの位置関係のような場合、図１や図４及び図５の人物抽出部２や図６乃至図１１の個別映像生成部６の中の人物抽出部において、試合の攻撃が開始されるセット時のポジションとユニフォームの色等に基づいてオフェンス側チームのバックスとディフェンス側チームのラインバッカーとにグループ分けを行い、このグループ分けの情報を人物Ｐｉの個別映像Ｃｉに付加し、配信用映像生成部４０はこの付加されたグループ分けの情報に基づいて、全体映像上において抽出された人物に対してグループ毎に異なった識別表示を行う。
【０１１２】
実施の形態１２に係る映像配信方法又は映像配信装置によれば、別ウインドウで見ている抽出人物が競技（試合等）において、どの位置に存在しているか又はどのような動きをしているかが認識可能になる。
【０１１３】
また、実施の形態１２に係る映像配信方法又は映像配信装置によれば、別ウインドウで見ている抽出人物が競技（試合等）において、どの位置に存在しているか又はどのような動きをしているかを抽出人物毎に認識することが可能になる。
【０１１４】
さらに、実施の形態１２に係る映像配信方法又は映像配信装置によれば、試合における敵・味方の区別や守備・攻撃等の役割毎の位置や動きを一目瞭然に表示することが可能になる。
【図面の簡単な説明】
【０１１５】
【図１】本発明の実施の形態１に係る映像配信方法を実施する装置（すなわち、実施の形態１に係る映像配信装置）の構成を概略的に示すブロック図である。
【図２】図１に示される人物抽出部の動作を説明するための図である。
【図３】図１に示される抽出人物映像生成部の構成を概略的に示すブロック図である。
【図４】本発明の実施の形態１に係る他の映像配信方法を実施する装置（すなわち、実施の形態１に係る他の映像配信装置）の構成を概略的に示すブロック図である。
【図５】本発明の実施の形態１に係るさらに他の映像配信方法を実施する装置（すなわち、実施の形態１に係るさらに他の映像配信装置）の構成を概略的に示すブロック図である。
【図６】本発明の実施の形態２に係る映像配信方法を実施する装置（すなわち、実施の形態２に係る映像配信装置）の構成を概略的に示すブロック図である。
【図７】本発明の実施の形態２に係る他の映像配信方法を実施する装置（すなわち、実施の形態２に係る他の映像配信装置）の構成を概略的に示すブロック図である。
【図８】本発明の実施の形態２に係るさらに他の映像配信方法を実施する装置（すなわち、実施の形態２に係るさらに他の映像配信装置）の構成を概略的に示すブロック図である。
【図９】本発明の実施の形態３、１０、及び１１に係る映像配信方法を実施する装置（すなわち、実施の形態３、１０、及び１１に係る映像配信装置）の構成を概略的に示すブロック図である。
【図１０】本発明の実施の形態３、１０、及び１１に係る他の映像配信方法を実施する装置（すなわち、実施の形態３、１０、及び１１に係る他の映像配信装置）の構成を概略的に示すブロック図である。
【図１１】本発明の実施の形態３、１０、及び１１に係るさらに他の映像配信方法を実施する装置（すなわち、実施の形態３、１０、及び１１に係るさらに他の映像配信装置）の構成を示すブロック図である。
【図１２】本発明の実施の形態４に係る映像配信方法を実施する装置（すなわち、実施の形態４に係る映像配信装置）の構成を概略的に示すブロック図である。
【図１３】図１２に示される個別映像組合せ部の構成を概略的に示すブロック図である。
【図１４】本発明の実施の形態５に係る映像配信方法を実施する装置（すなわち、実施の形態５に係る映像配信装置）の構成を概略的に示すブロック図である。
【図１５】本発明の実施の形態６、１０、及び１１に係る映像配信方法を実施する装置（すなわち、実施の形態６、１０、及び１１に係る映像配信装置）の構成を概略的に示すブロック図である。
【図１６】本発明の実施の形態７に係る映像配信方法及び映像配信装置が用いる抽出用映像を説明するための図である。
【図１７】本発明の実施の形態８に係る映像配信方法及び映像配信装置が用いる抽出用映像を説明するための図である。
【図１８】本発明の実施の形態８及び９に係る映像配信方法を実施する装置（すなわち、実施の形態８及び９に係る映像配信装置）の人物抽出部の構成を概略的に示すブロック図である。
【図１９】本発明の実施の形態１２に係る映像配信方法及び映像配信装置により配信された映像の、受信端末における表示映像の例を示す図である。
【図２０】本発明の実施の形態１２に係る映像配信方法及び映像配信装置により配信された映像の、受信端末における他の表示映像を示す図である。
【符号の説明】
【０１１６】
１，１ａ，１ｂ，１ｃ，１ｄ，１ｅ，１０  撮像装置、  ２  人物抽出部、  ３  抽出人物映像生成部、  ３１  第１の抽出人物映像生成部、  ３２  第２の抽出人物映像生成部、  ３３  第３の抽出人物映像生成部、  ３４  第４の抽出人物映像生成部、  ３ｉ  第ｉの抽出人物映像生成部、  ３（ｎ−１）  第（ｎー１）の抽出人物映像生成部、  ３ｎ  第ｎの抽出人物映像生成部、  ４，４１  配信用映像生成部、  ６  個別映像生成部、  ８  ネットワーク、  ９１  第１の受信端末、  ９２  第２の受信端末、  ９３  第３の受信端末、  ９ｊ  第ｊの受信端末、  ９ｍ  第ｍの受信端末、  １１ａ，１１ｂ，１１ｃ，１２ａ，１２ｂ，１２ｃ，１３ａ，１３ｂ，１３ｃ，１４，１５，１６  映像配信装置、  ２１１  第１の映像抽出部、  ２１２  第２の映像抽出部、  ２１３  第３の映像抽出部、  ２１４  第４の映像抽出部、  ２１５  第５の映像抽出部、  ２２１  第１の人物判定部、  ２２２  第２の人物判定部、  ２２３  第３の人物判定部、  ２２４  第４の人物判定部、  ２２５  第５の人物判定部、  ２２６  第６の人物判定部、  ２２７  第７の人物判定部、  ２２８  第８の人物判定部、  ２２９  第９の人物判定部、  ２２１０  第１０の人物判定部、  ２１１Ｐ１  第１の映像抽出部２１１における人物Ｐ１の抽出結果、  ２１１Ｐ２  第１の映像抽出部２１１における人物Ｐ２の抽出結果、  ２１１Ｐ４  第１の映像抽出部２１１における人物Ｐ４の抽出結果、  ２１１Ｐ６  第１の映像抽出部２１１における人物Ｐ６の抽出結果、  ２１１Ｐ１０  第２の映像抽出部２１２における人物Ｐ１０の抽出結果、  ２１２Ｐ１  第２の映像抽出部２１２における人物Ｐ１の抽出結果、  ２１２Ｐ２  第２の映像抽出部２１２における人物Ｐ２の抽出結果、  ２１２Ｐ３  第２の映像抽出部２１２における人物Ｐ３の抽出結果、  ２１２Ｐ４  第２の映像抽出部２１２における人物Ｐ４の抽出結果、  ２１２Ｐ１０  第２の映像抽出部２１２における人物Ｐ１０の抽出結果、  ２１３Ｐ１  第３の映像抽出部２１３における人物Ｐ１の抽出結果、  ２１３Ｐ２  第３の映像抽出部２１３における人物Ｐ２の抽出結果、  ２１３Ｐ５  第３の映像抽出部２１３における人物Ｐ５の抽出結果、  ２１３Ｐ６  第３の映像抽出部２１３における人物Ｐ６の抽出結果、  ２１３Ｐ１０  第３の映像抽出部２１３における人物Ｐ１０の抽出結果、  ２１４Ｐ８  第４の映像抽出部２１４における人物Ｐ８の抽出結果、  ２１４Ｐ９  第４の映像抽出部２１４における人物Ｐ９の抽出結果、  ２１５Ｐ７  第５の映像抽出部２１５における人物Ｐ７の抽出結果、  ２１５Ｐ８  第５の映像抽出部２１５における人物Ｐ８の抽出結果、  ４２，４３  選択機能付配信用映像生成部、  ４４，４５  受信端末別配信用映像生成部、  ４６  選択機能付映像配信部、  ４７  受信端末別映像配信部、  ７０  個別映像組合せ部、  ７１  受信端末別組合せ映像生成部、  ７２  個別映像組合せ部、  ７３  受信端末別個別映像組合せ部、  Ａ１，Ａ１１，…，Ａ１５  抽出用映像、  Ａ２  全体用映像、  Ｂ１  人物Ｐ１の抽出結果、  Ｂ２  人物Ｐ２の抽出結果、  Ｂ３  人物Ｐ３の抽出結果、  Ｂ４  人物Ｐ４の抽出結果、  Ｂ５  人物Ｐ５の抽出結果、  Ｂ６  人物Ｐ６の抽出結果、  Ｂ７  人物Ｐ７の抽出結果、  Ｂ８  人物Ｐ８の抽出結果、  Ｂ９  人物Ｐ９の抽出結果、  Ｂ１０  人物Ｐ１０の抽出結果、  Ｂｉ  人物Ｐｉの抽出結果、  Ｂ（ｎ−１）  人物Ｐ（ｎ−１）の抽出結果、  Ｂｎ  人物Ｐｎの抽出結果、  Ｃ１  人物Ｐ１の個別映像、  Ｃ２  人物Ｐ２の個別映像、  Ｃ３  人物Ｐ３の個別映像、  Ｃ４  人物Ｐ４の個別映像、  Ｃｉ  人物Ｐｉの個別映像、  Ｃ（ｎ−１）  人物Ｐ（ｎ−１）の個別映像、  Ｃｎ  人物Ｐｎの個別映像、  Ｄ１  第１の配信用映像、  Ｄ２  第２の配信用映像、  Ｄｊ  第ｊの配信用映像、  Ｄｍ  第ｍの配信用映像、  Ｅ１  第１の配信用映像Ｄ１に対応した表示映像、  Ｅ２  第２の配信用映像Ｄ２に対応した表示映像、  Ｅｊ  第ｊの配信用映像Ｄｊに対応した表示映像、  Ｅｍ  第ｍの配信用映像Ｄｍに対応した表示映像、  Ｆ１  表示映像Ｅ１における全体映像、  Ｆ２  表示映像Ｅ２における全体映像、  Ｆｊ  表示映像Ｅｊにおける全体映像、  Ｆｍ  表示映像Ｅｍにおける全体映像、  Ｇ１１  表示映像Ｅ１における人物Ｐ１の個別映像領域、  Ｇ１２  表示映像Ｅ１における人物Ｐ２の個別映像領域、  Ｇ１３  表示映像Ｅ１における人物Ｐ３の個別映像領域、  Ｇ１４  表示映像Ｅ１における人物Ｐ４の個別映像領域、  Ｇ２１  表示映像Ｅ２における人物Ｐ３の個別映像領域、  Ｇ２２  表示映像Ｅ２における人物Ｐ１の個別映像領域、  Ｇ２３  表示映像Ｅ２における人物Ｐ４の個別映像領域、  Ｇｍ１  表示映像Ｅｍにおける人物Ｐ１の個別映像領域、  Ｇｍ２  表示映像Ｅｍにおける人物Ｐｎの個別映像領域、  Ｇｊ１  表示映像Ｅｊにおける人物Ｐ１の個別映像領域、  Ｇｊ２  表示映像Ｅｊにおける人物Ｐ１０の個別映像領域、  Ｈ１  第１の組合せ映像、  Ｈ２  第２の組合せ映像、  Ｈｍ  第ｍの組合せ映像、  Ｊ１  第１の要求映像、  Ｊ２  第２の要求映像、  Ｊ３  第３の要求映像、  Ｋ１  第１の要求、  Ｋ２  第２の要求、  Ｋ３  第３の要求、  Ｌ１  第１の組合せ映像、  Ｌ２  第２の組合せ映像、  Ｌ３  第３の組合せ映像、  Ｍ１  第１の要求映像、  Ｍ２  第２の要求映像、  Ｍ３  第３の要求映像、  Ｎ１  第１の要求映像、  Ｎ２  第２の要求映像、  Ｎ３  第３の要求映像、  Ｐ１，…，Ｐｉ，…，Ｐｎ  人物、  Ｑ１  第１の組合せ映像、  Ｑ２  第２の組合せ映像、  Ｑ３  第３の組合せ映像、  Ｑｍ  第ｍの組合せ映像、  Ｒ１  第１の要求映像、  Ｒ２  第２の要求映像、  Ｒ３  第３の要求映像、  Ｕ１  第１の要求映像、  Ｕ２  第２の要求映像、  Ｕ３  第３の要求映像、  Ｔ１  第１の組合せ映像、  Ｔ２  第２の組合せ映像、  Ｔ３  第３の組合せ映像、  Ｓ１  第１の要求、  Ｓ２  第２の要求、  Ｓ３  第３の要求、  Ｃ１ｓ１  個別映像Ｃ１を拡大又は縮小した第１の映像、  Ｃ１ｓ２  個別映像Ｃ１を拡大又は縮小した第２の映像、  Ｃ１ｓ３  個別映像Ｃ１を拡大又は縮小した第３の映像、  Ｃ３ｓ１  個別映像Ｃ３を拡大又は縮小した映像、  Ｃ４ｓ１  個別映像Ｃ４を拡大又は縮小した映像、  Ｃｎｓ１  個別映像Ｃｎを拡大又は縮小した映像、  Ｃ１ｓ２ｔ  Ｃ１ｓ２をトリミングした映像、  Ｃ１ｓ３ｔ  Ｃ１ｓ３をトリミングした映像、  Ｃ３ｓ１ｔ  Ｃ３ｓ１をトリミングした映像、  Ｃ４ｓ１ｔ  Ｃ４ｓ１をトリミングした映像、  Ｃｎｓ１ｔ  Ｃｎｓ１をトリミングした映像。
【図１】
2008167127.tif 000003
【図２】
2008167127.tif 000004
【図３】
2008167127.tif 000005
【図４】
2008167127.tif 000006
【図５】
2008167127.tif 000007
【図６】
2008167127.tif 000008
【図７】
2008167127.tif 000009
【図８】
2008167127.tif 000010
【図９】
2008167127.tif 000011
【図１０】
2008167127.tif 000012
【図１１】
2008167127.tif 000013
【図１２】
2008167127.tif 000014
【図１３】
2008167127.tif 000015
【図１４】
2008167127.tif 000016
【図１５】
2008167127.tif 000017
【図１６】
2008167127.tif 000018
【図１７】
2008167127.tif 000019
【図１８】
2008167127.tif 000020
【図１９】
2008167127.tif 000021
【図２０】
2008167127.tif 000022